【事件の表示】
　特許第２６９８５６６号「冷蔵庫」の請求項１ないし８に係る特許に対する特許異議の申立てについて、次のとおり決定する。
【結論】
　訂正を認める。
　特許第２６９８５６６号の請求項１ないし８に係る特許を維持する。
【理由】
Ｉ．手続の経緯
　本件特許第２６９８５６６号は、平成７年６月１４日に出願された特願平７−１４７０７５号の分割出願であって、平成９年９月１９日に設定登録されたものである。
　これに対して、平成１０年７月１７日に特許異議申立人桜井幸太郎より、同年７月２１日に同株式会社東芝、同三洋電機株式会社、同株式会社富士通ゼネラル及び同シャープ株式会社より特許異議の申立てがなされ、平成１０年１１月１０日付けで取消理由通知がなされ、平成１１年１月２２日に訂正請求がなされたものである。
ＩＩ．訂正の内容
（１）訂正事項Ａ
　ア）特許請求の範囲の減縮を目的として、特許請求の範囲の請求項１の、
「【請求項１】冷蔵庫の上部に冷蔵室、冷蔵庫の下部に冷凍室、前記冷蔵室と前記冷凍室との間に野菜室をそれぞれ独立して設け、
　前記冷蔵室と前記野菜室との間に第１の仕切壁を設けるとともに、前記冷凍室と前記野菜室との間に断熱材を有する第２の仕切壁を設け、
　前記冷蔵室の下方部に前記冷蔵室及び前記野菜室より温度の低い貯蔵室を構成する収納容器を設け、
　前記収納容器の底面と前記第１の仕切壁との間に、前記貯蔵室による前記野菜室の冷え過ぎを軽減する空間を設ける
　ことを特徴とする冷蔵庫。」を、
「【請求項１】冷蔵庫の上部に冷蔵室、冷蔵庫の下部に冷凍室、前記冷蔵室と前記冷凍室との間に野菜室をそれぞれ独立して設け、
　前記冷蔵室と前記野菜室との間に第１の仕切壁を設け、冷気を前記冷蔵室から前記野菜室に導入し、
　前記冷凍室と前記野菜室の底面との間に及び前記野菜室の背面に断熱材を有する第２の仕切壁を設け、前記第２の仕切壁により前記野菜室の底面及び背面からの冷却を防止し、
　前記冷蔵室の下方部に前記冷蔵室及び前記野菜室より温度の低い貯蔵室を構成する収納容器を設け、
　前記収納容器の底面と前記第１の仕切壁との間に、前記貯蔵室による前記野菜室の冷え過ぎを軽減する空間を設ける
　ことを特徴とする冷蔵庫。」
と訂正する。
　イ）特許請求の範囲の減縮を目的として、特許請求の範囲の請求項２の、
「【請求項２】周囲に断熱材が配置される冷蔵庫の庫内を断熱材を有する仕切壁により冷蔵庫上部と冷蔵庫下部に分け、前記冷蔵庫上部に冷蔵室と野菜室を配置するとともに前記冷蔵庫下部に冷凍室を配置し、前記冷蔵室と前記冷凍室の間に前記野菜室を配置し、
　前記冷蔵室の下方部に前記冷蔵室及び前記野菜室より温度の低い貯蔵室を構成する収納容器を設け、
　前記冷蔵室と前記野菜室との間に仕切壁を設け、
　前記収納容器の底面と、前記冷蔵室と前記野菜室を仕切る仕切壁と、によって形成される空間を設ける
　ことを特徴とする冷蔵庫。」を
「【請求項２】周囲に断熱材が配置される冷蔵庫の庫内を断熱材を有する第２の仕切壁により冷蔵庫上部と冷蔵庫下部に分け、
　前記冷蔵庫上部に冷蔵室と野菜室を配置するとともに前記冷蔵庫下部に冷凍室を配置し、前記冷蔵室と前記冷凍室の間に前記野菜室を配置し、
　前記冷蔵室と前記野菜室との間に第１の仕切壁を設け、冷気を前記冷蔵室から前記野菜室に導入し、
　前記第２の仕切壁は前記冷凍室と前記野菜室の底面との間に及び前記野菜室の背面に設けられ、前記第２の仕切壁により前記野菜室の底面及び背面からの冷却を防止し、
　前記冷蔵室の下方部に前記冷蔵室及び前記野菜室より温度の低い貯蔵室を構成する収納容器を設け、
　前記収納容器の底面と、前記冷蔵室と前記野菜室を仕切る前記第１の仕切壁と、によって形成される空間を設ける
　ことを特徴とする冷蔵庫。」
と訂正する。
　ウ）特許請求の範囲の減縮を目的として、特許請求の範囲の請求項５の、
「【請求項５】請求項３に記載の冷蔵庫において、
　前記貯蔵室は、その底面が前記貯蔵室の底面となる収納容器と、前記収納容器の引き出し動作に連動して開閉する前記貯蔵室の前部に取り付けられた開閉扉とを備え、
　前記通風路は、前記収納容器の底面と、前記冷蔵室と前記野菜室とを仕切る仕切壁と、の間に形成されている
　ことを特徴とする冷蔵庫。」を
「【請求項５】請求項３に記載の冷蔵庫において、
　前記貯蔵室は、その底面が前記貯蔵室の底面となる収納容器と、前記収納容器の引き出し動作に連動して開閉する前記貯蔵室の前部に取り付けられた開閉扉とを備え、
　前記通風路は、前記収納容器の底面と、前記冷蔵室と前記野菜室とを仕切る第１の仕切壁と、の間に形成されている
　ことを特徴とする冷蔵庫。」
と訂正する。
　エ）特許請求の範囲の減縮を目的として、特許請求の範囲の請求項６の、
「【請求項６】周囲に断熱材が配置される冷蔵庫の庫内を断熱材を有する仕切壁により冷蔵庫上部と冷蔵庫下部に分け、前記冷蔵庫上部に冷蔵室と野菜室を配置するとともに前記冷蔵庫下部に冷凍室を配置し、前記冷蔵室と前記冷凍室の間に前記野菜室を配置し、
　前記冷蔵室の下方部に前記冷蔵室及び前記野菜室より温度の低い貯蔵室を構成する収納容器を設け、
　前記収納容器と前記野菜室との間に、前記野菜室の冷え過ぎを軽減する空間を設ける
　ことを特徴とする冷蔵庫。」を
「【請求項６】周囲に断熱材が配置される冷蔵庫の庫内を断熱材を有する仕切壁により冷蔵庫上部と冷蔵庫下部に分け、
　前記冷蔵庫上部に冷蔵室と野菜室を配置するとともに前記冷蔵庫下部に冷凍室を配置し、前記冷蔵室と前記冷凍室の間に前記野菜室を配置し、
　冷気を前記冷蔵室から前記野菜室に導入し、
　前記仕切壁は前記冷凍室と前記野菜室の底面との間に及び前記野菜室の背面に設けられ、前記仕切壁により前記野菜室の底面及び背面からの冷却を防止し、
　前記冷蔵室の下方部に前記冷蔵室及び前記野菜室より温度の低い貯蔵室を構成する収納容器を設け、
　前記収納容器と前記野菜室との間に、前記野菜室の冷え過ぎを軽減する空間を設ける
　ことを特徴とする冷蔵庫。」
と訂正する。
（２）訂正事項Ｂ
　明りょうでない記載の釈明を目的として段落番号【００１８】の記載を
「【課題を解決するための手段】
　前記課題を解決するために、本発明は主として次のような構成を採用する。」
と訂正する。
（３）訂正事項Ｃ
　明りょうでない記載の釈明を目的として段落番号【００１９】の記載を
「冷蔵庫の上部に冷蔵室、冷蔵庫の下部に冷凍室、前記冷蔵室と前記冷凍室との間に野菜室をそれぞれ独立して設け、
　前記冷蔵室と前記野菜室との間に第１の仕切壁を設け、冷気を前記冷蔵室から前記野菜室に導入し、
　前記冷凍室と前記野菜室の底面との間に及び前記野菜室の背面に断熱材を有する第２の仕切壁を設け、前記第２の仕切壁により前記野菜室の底面及び背面からの冷却を防止し、
　前記冷蔵室の下方部に前記冷蔵室及び前記野菜室より温度の低い貯蔵室を構成する収納容器を設
け、
　前記収納容器の底面と前記第１の仕切壁との間に、前記貯蔵室による前記野菜室の冷え過ぎを軽減する空間を設ける冷蔵庫。
　また、周囲に断熱材が配置される冷蔵庫の庫内を断熱材を有する第２の仕切壁により冷蔵庫上部と冷蔵庫下部に分け、
　前記冷蔵庫上部に冷蔵庫と野菜室を配置するとともに前記冷蔵庫下部に冷凍室を配置し、前記冷蔵室と前記冷凍室の間に前記野菜室を配置し、
　前記冷蔵室と前記野菜室との間に第１の仕切壁を設け、冷気を前記冷蔵室から前記野菜室に導入し、
　前記第２の仕切壁は前記冷凍室と前記野菜室の底面との間に及び前記野菜室の背面に設けられ、前記第２の仕切壁により前記野菜室の底面及び背面からの冷却を防止し、
　前記冷蔵室の下方部に前記冷蔵室及び前記野菜室より温度の低い貯蔵室を構成する収納容器を設け、
　前記収納容器の底面と、前記冷蔵室と前記野菜室を仕切る前記第１の仕切壁と、によって形成される空間を設ける冷蔵庫。」
と訂正する。
ＩＩＩ．訂正の適否についての判断
　１）訂正の目的の適否、新規事項の有無、及び拡張・変更の存否
　上記「訂正事項Ａ」における「前記冷蔵室と前記野菜室との間に第１の仕切壁を設け、冷気を前記冷蔵室から前記野菜室に導入」する点について、願書に添付した明細書には、「ここで、冷蔵室１００と野菜室２００との間には図示しない冷気通風路を備えた断熱材のない仕切壁７１を設け、」（段落番号【００３４】）、「また、チルド室１０４に供給された冷気の一部は野菜室２００に供給される。」（段落番号【００４６】）、「図４に戻り、冷蔵室１００の背面の壁面から吹き出された冷気は、矢印に沿って、冷蔵室１００内を冷して仕切板７１に設けた冷気通路を介して野菜室２００に導かれる。」（段落番号【００４９】）と記載され、これらの記載、及び「図４」、「図２２」の記載からみて、願書に添付した明細書、図面には上記訂正事項が記載されている。
　上記「訂正事項Ａ」における「前記冷凍室と前記野菜室の底面との間に及び前記野菜室の背面に断熱材を有する第２の仕切壁を設け、前記第２の仕切壁により前記野菜室の底面及び背面からの冷却を防止」する点については、本件特許発明の目的が野菜室周辺の各部分からの野菜室の冷え過ぎ防止を図るものであり、また、願書に添付した明細書には、「さて、この冷蔵庫１では、野菜室２００の上部に庫内温度が近似した冷蔵室１００、野菜室２００の下部に庫内温度が著しく異なる上部冷凍室３００を配置したので、断熱材５を備えた仕切壁７０を野菜室２００と上部冷凍室３００との間に一ヶ所設ければよく、庫内容積を大きくとることができる。」（段落番号【００３４】）、「また、下部冷凍室４００の後方に、圧縮機５０２を備えた機械室５００、上部冷凍室３００の後方に熱交換器５０４、野菜室２００の後方下部にファンモータ５０６、野菜室２００の収納ケース２０４とチルド室１０４の後方に跨って冷気分配器（冷気供給量調整機）５０８が配置される。」（段落番号【００３６】）と記載され、また「図４」、「図２２」には、上記構成が明確に記載されている。
　そうしてみると、「訂正事項Ａ」は、特許請求の範囲の減縮を目的とし、願書に添付した明細書又は図面に記載した事項の範囲内においてなされたものであり、また、実質的に特許請求の範囲を拡張し又は変更するものではない。
　「訂正事項Ｂ」及び「訂正事項Ｃ」は、特許請求の範囲を訂正することに伴い訂正するものであって、明りょうでない記載の釈明を目的とし、願書に添付した明細書又は図面に記載した事項の範囲内においてなされたものであり、また、実質的に特許請求の範囲を拡張し又は変更するものではない。
　２）独立特許要件
　当審において平成１０年１１月１０日付けで通知した取消理由において引用した、実公昭５４−３１３９０号公報（以下、「刊行物１」という。）には、
「本考案をその一実施例を示す添付図面を参考に説明する。
　図において、１は外箱２と内箱３とこの両箱２，３間に充填された断熱材４とより構成された冷蔵庫の本体、この本体１内には、前部区画枠５とこの区画枠５と内箱３の背壁面間に設けられた仕切板６とよりなる上部区画壁７と、内部にフィン付冷却器８とファン９をそれぞれ具備した冷却室１０を形成する下部区画壁１１がそれぞれ設けられ、庫内を上下３室１２，１３，１４に区画形成し、さらに各室１２，１３，１４にはそれぞれ外扉１５，１６，１７が回動自在に取付けられている。１８は前記冷却室１０と上室１２および下室１４を連通し内箱３の背壁面に配設された送風ダクトで、冷却室１０から強制送風される冷却空気をこの送風ダクト１８を介して上部区画室１２と下部区画室１４に直接通風して上部区画室１２を冷蔵室、下部区画室１４（１は１４の誤記）を冷凍室とする如く冷却する。１９は前記上部区画室１２の背面下部と、下部区画壁１１の冷却室１０を連通し内箱３の背壁面に配設された吸込ダクトで、前記冷蔵室１２内を循環した循環空気は、この冷蔵室１２内下部に設けられた肉皿等の低温容器２０の下底面と上部区画壁７の仕切板６との間隙を経て吸込口２１より吸込ダクト１９および下部区画壁１１の上面板と冷却室１０間に形成された通風路２２を流れて冷却室１０に帰還する。したがって、中部区画室１３は、直接冷却空気を通風しないため野菜室のような無乾燥室となる。
　そして前記野菜室１３は冷蔵室１２の低温容器２０の下底面と上部区画壁７の仕切板６即ち野菜室１３の上面との関係が通風路となり、また、野菜容器の底面と、冷却室との間が通風路となるため直接冷却空気が通風されることなく外周面より効果的に冷却される。」（第１頁左欄３４行〜右欄３１行）こと、が記載され、図面第２図及び第３図には、冷蔵庫の断面図が記載されている。
　また、同じく引用した特開昭５５−５１２６９号公報（以下、「刊行物２」という。）には、「冷蔵室、野菜室、冷凍室の順に上から３室を形成し、且つそれぞれの室の前面に専用の扉を設けると共に冷凍室と野菜室との間には冷却器を収納した中仕切壁を、又冷蔵室と野菜室との間には扉パッキングの受面を形成する受部を設け、且つ冷蔵室を冷却した冷気の全てで野菜室を冷却するよう構成すると共に該野菜室内に設置される容器の蓋の一部に冷気量調整装置の付いた開口を形成したことを特徴とする野菜室付冷蔵庫。」（特許請求の範囲第１項）に関し、「本発明はかかる点に鑑みてなされたものである。即ち最上部の冷蔵室と最下部の冷凍室との間に野菜室を設けるようにしたものである。換言するならば利用頻度の高い順から冷蔵室、野菜室、冷凍室と構成し、この状態に於いても所望の室温及び湿度が得られるようにしたものである。」（第２頁左上欄５行〜１０行）こと、「第２図に於いては冷蔵室２と野菜室３間で冷気を遮断する障壁はないものである。」（第２頁右上欄７行〜８行）こと、「又第３図に示す如く本発明に於いては冷蔵室と野菜室間を仕切受部１５’で区画し、その仕切受部１５’に設けられた通路２８から冷蔵室を冷却した冷気を導びき、その通路２８に連続して設けられる通路２５の途中に野菜室３側への冷気吐出口２６を設け」（第２頁左下欄１３行〜１８行）ること、が記載され、
　同じく引用した特公昭３８−１５８９９号公報（以下、「刊行物３」という。）には、
「一般貯蔵仕切室は普通約３８゜Ｆ（３．３℃）の温度にしかして食肉室は肉の凍結温度より少し高い温度すなわち約３０゜Ｆ（−１．１℃）位に維持する。野菜の保鮮室は一般貯蔵仕切の温度３８゜Ｆ（３．３℃）に近い温度または少し高い温度に維持される。食肉類は蓋付の容器に容れ少なくとも数日間３０゜Ｆ（−１．１℃）の温度で新鮮でかつ凍結せずに保存される。野菜類は蓋付の容器に容れて３８゜〜４０゜Ｆ（３．３゜〜４．４℃）位の温度で新鮮で水気を失うことなく保存される。」（第１頁右欄下から５行〜第２頁左欄５行）こと、「図面においてここに挙げた家庭用電気冷蔵庫は一つのキャビネット構造を用い外殻１０とその中にはめ込んだ内側ライナ１１およびライナと外殻と間に置かれた熱絶縁体１２とを含む。」（第２頁左欄６行〜９行）こと、「第１図のごとくキャビネットはその開いた前面側に主食料品仕切室への比較的大なる出し入れ口１７と下方の仕切室１５への狭い口１８とを分割する桟１６を含む。出し入れ口１７は適当な蝶番付扉１９によって閉ざされまた狭い口１８は引出し２２が閉められた位置となった時に引出し２２の絶縁した前面パネル２１によって閉ざされる。引出し２２は仕切室１５内に適当に支持された軌道２３の上に滑動自在に取付けられる。キャビネットの下方の部分２４は冷凍食品セクションとなっている」（第２頁左欄１２行〜２２行）こと、が記載されているとともに、図面第１図には、家庭用電気冷蔵庫の斜視図が、第２図、第４図には家庭用電気冷蔵庫の縦断面図が、それぞれ記載されている。
　そして、刊行物１には、刊行物３記載の事項を参酌すると、「冷蔵庫の上部に冷蔵室、冷蔵庫の下部に冷凍室、前記冷蔵室と前記冷凍室との間に野菜室をそれぞれ独立して設け、
　前記冷蔵室と前記野菜室との間に第１の仕切壁を設けるとともに、前記冷凍室と前記野菜室との間に断熱材を有する第２の仕切壁を設け、
　前記冷蔵室の下方部に前記冷蔵室及び前記野菜室より温度の低い貯蔵室を構成する収納容器を設け、
　前記収納容器の底面と前記第１の仕切壁との間に空間を設けた冷蔵庫、並びに該空間が冷気戻口に連通している通風路（冷気通路）であること」、は記載されているが、刊行物１記載のものは、野菜室周辺各部分からの野菜室の冷え過ぎ防止又は軽減を図ることを目的とするものではなく、また、冷気を冷蔵室から野菜室に導入するものでもない。さらに、刊行物１には、「冷凍室と野菜室の底面との間に及び前記野菜室の背面に断熱材を有する第２の仕切壁を設け、第２の仕切壁により前記野菜室の底面及び背面からの冷却を防止」する点について記載されておらず、またこの点を示唆する記載も認められない。
　また、刊行物２には、刊行物３記載の事項を参酌すると、「冷蔵庫の上部に冷蔵室、冷蔵庫の下部に冷凍室、前記冷蔵室と前記冷凍室との間に野菜室をそれぞれ独立して設け、
　前記冷蔵室と前記野菜室との間に第１の仕切壁を設け、冷気を前記冷蔵室から前記野菜室に導入し、
　前記冷凍室と前記野菜室の底面との間に断熱材を有する第２の仕切壁を設けた冷蔵庫」、
は記載されているが、刊行物２に記載のものも、野菜室周辺各部分からの野菜室の冷え過ぎ防止又は軽減を図ることを目的とするものではなく、また、「冷凍室と野菜室の底面との間に及び前記野菜室の背面に断熱材を有する第２の仕切壁を設け、第２の仕切壁により前記野菜室の底面及び背面からの冷却を防止」する点、及び「冷蔵室の下方部に冷蔵室及び野菜室より温度の低い貯蔵室を構成する収納容器を設け、前記収納容器の底面と第１の仕切壁との間に、又は前記収納容器と前記野菜室との間に、前記貯蔵室による野菜室の冷え過ぎを軽減する空間を設ける」点について記載されておらず、またこの点を示唆する記載も認められない。
　したがって、刊行物３記載の冷蔵庫における冷蔵室、冷凍室、野菜室の配置、各貯蔵室の維持温度、各室を仕切る仕切壁構造を参酌しても、本件請求項１、２、５及び６に係る発明が、刊行物１及び２の記載に基づいて容易に発明をすることができたものと認めることができないから、本件特許出願の際独立して特許を受けることができるものである。
　３）むすび
　以上のとおりであるから、上記訂正は、特許法第１２０条の４第２項、及び同条第３項において準用する第１２６条第２項ないし第４項の規定に適合するので、当該訂正を認める。
ＩＶ．特許異議申立てについて
（１）本件発明
　平成１１年１月２２日付け訂正請求書で訂正された本件請求項１乃至８に係る発明は、特許請求の範囲の請求項１乃至８に記載されたとおりの次のものである。
「【請求項１】冷蔵庫の上部に冷蔵室、冷蔵庫の下部に冷凍室、前記冷蔵室と前記冷凍室との間に野菜室をそれぞれ独立して設け、
　前記冷蔵室と前記野菜室との間に第１の仕切壁を設け、冷気を前記冷蔵室から前記野菜室に導入し、
　前記冷凍室と前記野菜室の底面との間に及び前記野菜室の背面に断熱材を有する第２の仕切壁を設け、前記第２の仕切壁により前記野菜室の底面及び背面からの冷却を防止し、
　前記冷蔵室の下方部に前記冷蔵室及び前記野菜室より温度の低い貯蔵室を構成する収納容器を設け、
　前記収納容器の底面と前記第１の仕切壁との間に、前記貯蔵室による前記野菜室の冷え過ぎを軽減する空間を設ける
　ことを特徴とする冷蔵庫。
　【請求項２】周囲に断熱材が配置される冷蔵庫の庫内を断熱材を有する第２の仕切壁により冷蔵庫上部と冷蔵庫下部に分け、
　前記冷蔵庫上部に冷蔵室と野菜室を配置するとともに前記冷蔵庫下部に冷凍室を配置し、前記冷蔵室と前記冷凍室の間に前記野菜室を配置し、
　前記冷蔵室と前記野菜室との間に第１の仕切壁を設け、冷気を前記冷蔵室から前記野菜室に導入し、
　前記第２の仕切壁は前記冷凍室と前記野菜室の底面との間に及び前記野菜室の背面に設けられ、前記第２の仕切壁により前記野菜室の底面及び背面からの冷却を防止し、
　前記冷蔵室の下方部に前記冷蔵室及び前記野菜室より温度の低い貯蔵室を構成する収納容器を設け、
　前記収納容器の底面と、前記冷蔵室と前記野菜室を仕切る前記第１の仕切壁と、によって形成される空間を設ける
　ことを特徴とする冷蔵庫。
　【請求項３】請求項１または２に記載の冷蔵庫において、
　前記空間は通風路であることを特徴とする冷蔵庫。
　【請求項４】請求項３に記載の冷蔵庫において、
　前記冷蔵室は、前部にその側部が支持された開閉ドアを備え、
　前記冷蔵室内を上下に複数に仕切る仕切棚と、前記開閉ドアの内側に取り付けられた複数のトレーとを有し、
　前記仕切棚と前記トレーとの間に形成される通風路と、前記貯蔵室の収納容器の底面下方の前記通風路とを連通させる
　ことを特徴とする冷蔵庫。
　【請求項５】請求項３に記載の冷蔵庫において、
　前記貯蔵室は、その底面が前記貯蔵室の底面となる収納容器と、前記収納容器の引き出し動作に連動して開閉する前記貯蔵室の前部に取り付けられた開閉扉とを備え、
　前記通風路は、前記収納容器の底面と、前記冷蔵室と前記野菜室とを仕切る第１の仕切壁と、の間に形成されている
　ことを特徴とする冷蔵庫。
　【請求項６】周囲に断熱材が配置される冷蔵庫の庫内を断熱材を有する仕切壁により冷蔵庫上部と冷蔵庫下部に分け、
　前記冷蔵庫上部に冷蔵室と野菜室を配置するとともに前記冷蔵庫下部に冷凍室を配置し、前記冷蔵室と前記冷凍室の間に前記野菜室を配置し、
　冷気を前記冷蔵室から前記野菜室に導入し、
　前記仕切壁は前記冷蔵室と前記野菜室の底面との間に及び前記野菜室の背面に設けられ、前記仕切壁により前記野菜室の底面及び背面からの冷却を防止し、
　前記冷蔵室の下方部に前記冷蔵室及び前記野菜室より温度の低い貯蔵室を構成する収納容器を設け、
　前記収納容器と前記野菜室との間に、前記野菜室の冷え過ぎを軽減する空間を設ける
　ことを特徴とする冷蔵庫。
　【請求項７】請求項６に記載の冷蔵庫において、
　前記冷蔵室は、下方部に冷気戻口を備え、前記空間は前記冷気戻口に連通していることを特徴とする冷蔵庫。
　【請求項８】請求項１ないし７のいずれか１つの請求項に記載の冷蔵庫において、
　前記冷蔵室及び野菜室より温度の低い貯蔵室は、チルド室であることを特徴とする冷蔵庫。」
（２）申立て理由の概要
　上記各特許異議申立人の提出した証拠方法及び申立ての理由は以下のとおりである。　
　ア）桜井　幸太郎の申立て（以下、「申立て（Ｉ）」という。）
〔証拠方法〕
　甲第１号証；特開昭５５−５１２６９号公報
　甲第２号証；特開平４−３６３５７２号公報
　甲第３号証；特公平５−６３２号公報
　甲第４号証の１；三菱電機株式会社製冷蔵庫ＭＲ−Ｊ４８Ｍ、ＭＲ−Ｊ４１Ｍ、ＭＬ「サービスハンドブック」抜粋、１９９３年６月改訂版発行
　甲第４号証の２；三菱電機株式会社製冷蔵庫ＭＲ−Ｊ３７Ｎ形、ＭＲ−Ｊ４１Ｍ形、ＭＲ−Ｊ４８Ｍ形「サービステクニカルガイド」抜粋、１９９５年３月発行
　甲第４号証の３；三菱電機株式会社製冷蔵庫ＭＲ−Ｊ４１Ｍ形、ＭＲ−Ｊ４８Ｍ形「カタログ」抜粋、１９９３年１２月作成
〔理由〕
　本件請求項１乃至８に係る発明は、上記甲第１号証乃至甲第４号証の３に記載された発明に基づいて容易に発明をすることができたものであり、本件請求項１乃至８に係る発明の特許は特許法第２９条第２項の規定に違反してなされたものであるから取り消されるべきである。
　イ）株式会社　東芝の申立て（以下、「申立て（ＩＩ）」という。）
〔証拠方法〕
　甲第１号証；特開平２−２７５２８０号公報
　甲第２号証；ＧＲ−Ｒ４０ＳＩ型東芝冷蔵庫のサービスガイド（調理システム’８９−２６）
　甲第２号証の２；東芝冷蔵庫の総合カタログ’８９−４
　甲第３号証；米国特許第３０４８０２４号明細書
　甲第４号証；特公平４−２７４７５号公報
〔理由〕
　本件請求項１乃至８に係る発明は、上記甲第１号証乃至甲第４号証に記載された発明に基づいて容易に発明をすることができたものであり、本件請求項１乃至８に係る発明の特許は特許法第２９条第２項の規定に違反してなされたものであるから取り消されるべきである。
　ウ）三洋電機株式会社の申立て（以下、「申立て（ＩＩＩ）」という。）
〔証拠方法〕
　甲第１号証；実公昭５４−３１３９０号公報
　甲第２号証；特公昭３８−１５８９９号公報
　甲第３号証；特開平５−１８７７５５号公報
　甲第４号証；特開平６−５８６５５号公報
　甲第５号証；特開平６−２１３５５６号公報
〔理由〕
　本件請求項１乃至８に係る発明は、上記甲第１号証乃至甲第５号証に記載された発明に基づいて容易に発明をすることができたものでり、本件請求項１乃至８に係る発明の特許は特許法第２９条第２項の規定に違反してなされたものであるから取り消されるべきである。
　エ）株式会社富士通ゼネラルの申立て（以下、「申立て（ＩＶ）」という。）
〔証拠方法〕
　甲第１号証；実公昭５４−３１３９０号公報
　甲第２号証；特開平４−３６３５７２号公報
　甲第３号証；三菱冷蔵庫カタログ　三菱電機株式会社　昭和６０年９月作成
〔理由〕
　本件請求項１乃至８に係る発明は、上記甲第１号証乃至甲第３号証に記載された発明に基づいて容易に発明をすることができたものでり、本件請求項１乃至８に係る発明の特許は特許法第２９条第２項の規定に違反してなされたものであるから取り消されるべきである。
　オ）シャープ株式会社の申立て（以下、「申立て（Ｖ）」という。）
〔証拠方法〕
　甲第１号証；実公昭５４−３１３９０号公報
　甲第２号証；特開平７−９１８０３号公報
　甲第３号証；「ＳＨＡＲＰサービスマニュアル’８０電気冷蔵庫Ｎｏ．１　ＳＪ−３１０Ｇ，ＳＪ−３１０　Ａ」昭和５４年８月発行
　甲第４号証；実願昭５３−４５９５０号（実開昭５４−１４７８５４号）のマイクロフィルム
　甲第５号証；実願平４−６９５１６号（実開平６−３２９８１号）のマイクロフィルム
　甲第６号証；特公昭３８−１５８９９号公報
　甲第７号証：「ナショナル＜冷凍＞冷蔵庫ＮＲ−２３１ＴＤＲ取扱説明書」
　甲第８号証；「Ｎａｔｉｏｎａｌ冷蔵庫総合カタログ’８１−５」（昭和５６年５月２１日現在のもの）
〔理由〕
　本件請求項１乃至８に係る発明は、上記甲第１号証乃至甲第８号証に記載された発明に基づいて容易に発明をすることができたものでり、本件請求項１乃至８に係る発明の特許は特許法第２９条第２項の規定に違反してなされたものであるから取り消されるべきである。
（３）特許異議申立てについての判断
　ア）申立て（Ｉ）について
　甲第１号証は上記刊行物２であって、「冷蔵庫の上部に冷蔵室、冷蔵庫の下部に冷凍室、前記冷蔵室と前記冷凍室との間に野菜室をそれぞれ独立して設け、前記冷蔵室と前記野菜室との間に第１の仕切壁を設け、冷気を前記冷蔵室から前記野菜室に導入し、前記冷凍室と前記野菜室の底面との間に断熱材を有する第２の仕切壁を設けた冷蔵庫」が記載され、
　甲第２号証には、「冷蔵庫の上から順に冷凍室、冷蔵室、野菜室をそれぞれ独立して設けるとともに、冷蔵室の下方部に冷蔵室及び野菜室よりも温度の低い貯蔵室を構成する収納容器（チルドケース）を設け、前記収納容器（チルドケース）の底面と前記冷蔵室と前記野菜室との間を仕切る仕切壁（第１の仕切壁に相当）との間に空間を設けた冷蔵庫」が記載され、
　甲第３号証には、「冷蔵庫の上から順に冷凍室、冷蔵室、低温室、野菜室をそれぞれ独立して設け、上記低温室内に配設された収納ケースの底板と低温室と野菜室を仕切るとともに野菜室に冷気を導入する仕切板（仕切壁）との間に空間を設けた冷蔵庫」が記載され、
　甲第４号証の１には、「上から順に冷蔵室、冷凍室、野菜室をそれぞれ独立して設けた冷蔵庫ＭＲ−Ｊ４８Ｍ等における製品仕様、特に冷蔵庫の各室を構成する冷蔵室、冷凍室、野菜室の温度、冷蔵室の下方部に設けた冷蔵室及び野菜室よりも温度の低い貯蔵室（チルド室）、冷蔵室内を上下に複数に仕切る仕切棚、開閉ドアの内側に取り付けられた複数のトレー等」について、甲第４号証の２、３には、「冷蔵庫の気流の分布図、及びチルド室の構造」について記載されている。
　そこで、本件請求項１乃至８に係る発明と上記甲各号証記載のものとを対比、検討するに、甲第１号証乃至甲第４号証の３には、いずれにも、野菜室周辺各部分からの野菜室の冷え過ぎを防止（又は軽減）する点について記載がない。そして、甲第２号証、甲第３号証には、冷蔵室又は低温室と野菜室を仕切る仕切板（仕切壁）と冷蔵室又は低温室に収容した収納容器との間に空間を設けることが記載されてはいるが、該空間は収納容器等冷却する冷気通路としての機能を有するものと解され、該空間が野菜室の冷え過ぎを防止又は軽減するための空間であるとは認めることができない。そうしてみると、甲第１号証乃至甲第４号証の３には、本件請求項１乃至８に係る発明の構成要件である「冷凍室と野菜室の底面との間に及び前記野菜室の背面に断熱材を有する第２の仕切壁を設け、前記第２の仕切壁により前記野菜室の底面及び背面からの冷却を防止」する点、及び「収納容器の底面と第１の仕切壁との間に、又は収納容器と野菜室との間に、貯蔵室（冷蔵室の下方部に設けた前記冷蔵室及び前記野菜室より温度の低い貯蔵室）による前記野菜室の冷え過ぎを軽減する空間を設ける」点について記載されていない。
　してみると、本件請求項１乃至８に係る発明が、甲第１号証乃至甲第４号証の３記載の発明に基づいて容易に発明をすることができたものとすることができない。
　イ）申立て（ＩＩ）について
　甲第１号証には、「一側の上から順に冷凍室、製氷室、第２の冷凍室を配し、他側の上から順に冷蔵室、野菜室、ボトル室を配した冷蔵庫において、冷蔵室の下方部にチルドルーム又はパーシャルルームを設けて該チルドルーム又はパーシャルルームを冷蔵室上部（例えば３℃）及び野菜室（例えば７℃）よりも低い０℃（チルドルームの場合）とするとともに、ボトル室には専用のダクトを通して野菜室後方下部に吹き出した冷気と野菜室の野菜と熱交換した冷気とを合流して導入するようにした冷蔵庫」が記載され、
　甲第２号証には、甲第１号証に記載された冷蔵庫と同様形状の東芝冷凍冷蔵庫の外形図、取扱説明書抜粋、構造図等が、さらにはチルドケース、パーシャルケースの構造について記載され、
　甲第２号証の２には、甲第１号証に記載された冷蔵庫と同様形状のＴＯＳＨＩＢＡ冷蔵庫に関し、冷蔵室下方部に配したパーシャルルーム及びチルドルームの温度（パーシャルルームは−３℃、チルドルームは０℃と記載）、及びパーシャルルームとチルドルームについて「引き出しフルオープン設計ですから、食品の出し入れがラクです。」と記載され、
　甲第３号証には、「上から順に冷蔵室、野菜室、冷凍室を配した冷蔵庫において、野菜室と冷凍室を水平の断熱壁で区画した冷蔵庫」が記載され、
　甲第４号証には、「冷蔵庫の上から順に冷凍室、冷蔵室、氷温室、野菜室をそれぞれ独立して設けるとともに、上記氷温室内に配設された氷温容器の底板と氷温室と野菜室を仕切る仕切板（仕切壁）との間に空間を設けた冷蔵庫」が記載されている。
　そこで、本件請求項１乃至８に係る発明と上記甲各号証記載のものとを対比、検討するに、甲第１号証乃至甲第４号証には、いずれにも、野菜室周辺各部分からの野菜室の冷え過ぎを防止（又は軽減）する点について記載がない。そして、甲第４号証には、氷温室と野菜室を仕切る仕切壁と氷温室に収容した氷温容器（収納容器）の底面との間に空間を設けることが記載されているが、該空間は氷温容器（収納容器）等を冷却する冷気通路としての機能を有するものと解され、該空間が野菜室の冷え過ぎを防止又は軽減するための空間であるとは認めることができない。そうしてみると、甲第１号証乃至甲第４号証には、本件請求項１乃至８に係る発明の構成要件である「冷凍室と野菜室の底面との間に及び前記野菜室の背面に断熱材を有する第２の仕切壁を設け、前記第２の仕切壁により前記野菜室の底面及び背面からの冷却を防止」する点、及び「収納容器の底面と第１の仕切壁との間に、又は収納容器と野菜室との間に、貯蔵室（冷蔵室の下方部に設けた前記冷蔵室及び前記野菜室より温度の低い貯蔵室）による前記野菜室の冷え過ぎを軽減する空間を設ける」点について記載されていない。
　してみると、本件請求項１乃至８に係る発明が、甲第１号証乃至甲第４号証記載の発明に基づいて容易に発明をすることができたものとすることができない。
　ウ）申立て（ＩＩＩ）について
　甲第１号証は上記刊行物１であって、「冷蔵庫の上部に冷蔵室、冷蔵庫の下部に冷凍室、前記冷蔵室と前記冷凍室との間に野菜室をそれぞれ独立して設け、前記冷蔵室と前記野菜室との間に第１の仕切壁を設けるとともに、前記冷凍室と前記野菜室との間に断熱材を有する第２の仕切壁を設け、前記冷蔵室の下方部に前記冷蔵室及び野菜室より温度の低い貯蔵室を構成する収納容器（肉皿等の低温容器２０）を設け、前記収納容器の底面と前記第１の仕切壁との間に空間を設けた冷蔵庫、並びに該空間が冷気戻口に連通している通風路（冷気通路）であること」が記載され、
　甲第２号証は上記刊行物３であって、「冷蔵庫の上から順に主貯蔵仕切室１４（冷蔵室）、食肉貯蔵室２５及び野菜保鮮室２６、冷凍食品セクション２４（冷凍室）を配し、主貯蔵仕切室１４と食肉貯蔵室２５及び野菜保鮮室２６との間は界壁１３（第１の仕切壁）で仕切るとともに、冷凍食品セクション２４と食肉貯蔵室２５及び野菜保鮮室２６との間は熱絶縁体１２を含む仕切壁（断熱材を有する第２の仕切壁）で仕切った冷蔵庫」、及び「一般貯蔵仕切室（冷蔵室）は普通約３．３℃に、野菜保鮮室は一般貯蔵仕切室に近い温度または少し高い温度に維持し、食肉貯蔵室は肉の凍結温度より少し高い温度すなわち約−１．１℃に維持する」ことが記載され、
　甲第３号証には、「冷蔵室の下方部に冷蔵室及び野菜室より温度の低い高湿室１２を配置するとともに、冷蔵室と野菜室とを区画する冷蔵室底板と高湿室１２との間を冷気通路とした冷蔵庫」が記載され、また甲第３号証の図２の記載等から高湿室１２の蓋１３はバネなどにより付勢されており、収納容器の引き出し動作に連動して開閉することが窺える。
　甲第４号証には、「冷蔵室内を上下に複数に仕切る仕切棚と、冷蔵室の下方部に配した収納容器と、開閉ドアの内側に複数のトレーとを設けた冷蔵室、並びにこのように構成した冷蔵室の冷気の流れ」が記載され、
　甲第５号証には、「上から順に冷凍室、冷蔵室、チルド室、野菜室をそれぞれ独立して設けた冷凍冷蔵庫において、チルド室に収容した容器の引き出し動作に連動して開閉する上蓋を設けた冷凍冷蔵庫」が記載されている。
　そこで、本件請求項１乃至８に係る発明と上記甲各号証記載のものとを対比、検討するに、甲第１号証乃至甲第５号証には、いずれにも、野菜室周辺各部分からの野菜室の冷え過ぎを防止（又は軽減）する点について記載がない。そして、甲第１号証、甲第３号証等には、冷蔵室と野菜室を仕切る仕切壁（冷蔵室底板）と冷蔵室の下方部に収納した肉皿等の低温容器の底面又は低温の高湿室底面との間に空間を設けることが記載されているが、該空間は上記低温容器又は高湿室、さらには野菜室を効果的に冷却する冷気通路としての機能を有するものと解され、該空間が野菜室の冷え過ぎを防止又は軽減するための空間であるとは認めることができない。そうしてみると、甲第１号証乃至甲第５号証には、本件請求項１乃至８に係る発明の構成要件である「冷凍室と野菜室の底面との間に及び前記野菜室の背面に断熱材を有する第２の仕切壁を設け、前記第２の仕切壁により前記野菜室の底面及び背面からの冷却を防止」する点、及び「収納容器の底面と第１の仕切壁との間に、は収納容器と野菜室との間に、貯蔵室（冷蔵室の下方部に設けた前記冷蔵室及び前記野菜室より温度の低い貯蔵室）による前記野菜室の冷え過ぎを軽減する空間を設ける」点について記載されていない。
　してみると、本件請求項１乃至８に係る発明が、甲第１号証乃至甲第５号証記載の発明に基づいて容易に発明をすることができたものとすることができない。
　なお、平成１１年３月２６日提出の上申書に添付した参考資料１は上記甲第２号証であり、参考資料２の「ＳＨＡＲＰサービスマニュアル　’８０電気冷蔵庫Ｎｏ．１」（昭和５４年８月発行）には、「上から順に上方部にフレッシュルームを有する冷蔵室、野菜室、冷凍室をそれぞれ独立して設けた冷蔵庫において、冷凍室と野菜室との間を断熱材を有する仕切壁により仕切ったもの」が記載されているが、参考資料１、２には、野菜室周辺各部分からの野菜室の冷え過ぎを防止又は軽減する点について記載がないものである。そして、参考資料２には、構造図の記載から、一見冷凍室と野菜室との間を仕切る断熱材を有する仕切壁は野菜室の底面から連続してその背面にも存在するように見える。しかしながら、野菜室の背面を形成する壁の厚さは冷凍室の背面の壁の厚さと同じであって、野菜室の背面は冷蔵庫の筐体を形成する冷蔵庫の背壁と解される。してみると、参考資料１、２を参酌しても本件請求項１乃至８に係る発明が容易になし得たものとすることができない。
　エ）申立て（ＩＶ）について
　甲第１号証は上記刊行物１であって、「冷蔵庫の上部に冷蔵室、冷蔵庫の下部に冷凍室、前記冷蔵室と前記冷凍室との間に野菜室をそれぞれ独立して設け、前記冷蔵室と前記野菜室との間に第１の仕切壁を設けるとともに、前記冷凍室と前記野菜室との間に断熱材を有する第２の仕切壁を設け、前記冷蔵室の下方部に前記冷蔵室及び野菜室より温度の低い貯蔵室を構成する収納容器（肉皿等の低温容器２０）を設け、前記収納容器の底面と前記第１の仕切壁との間に空間を設けた冷蔵庫、並びに該空間が冷気戻口に連通している通風路（冷気通路）であること」が記載され、
　甲第２号証は申立て（Ｉ）の甲第２号証と同じものであって、「冷蔵庫の上から順に冷凍室、冷蔵室、野菜室をそれぞれ独立して設けるとともに、冷蔵室の下方部に冷蔵室及び野菜室よりも温度の低い貯蔵室を構成する収納容器（チルドケース）を設け、前記収納容器（チルドケース）の底面と前記貯蔵室と前記野菜室との間を仕切る仕切壁（第１の仕切壁）との間に空間を設けた冷蔵庫」が記載され、
　甲第３号証には、「チルドルームに収容した収納容器（チルドケース）を引き出すと同時にフタが開くこと」が記載されている。
　そこで、本件請求項１乃至８に係る発明と上記甲各号証記載のものとを対比、検討するに、甲第１号証乃至甲第３号証には、いずれにも、野菜室周辺各部分からの野菜室の冷え過ぎを防止（又は軽減）する点について記載がない。そして、甲第１号証、甲第２号証には、冷蔵室と野菜室を仕切る仕切壁（冷蔵室底板）と冷蔵室の下方部に収容した肉皿等の低温容器又は低温の収納容器（チルドケース）の底面との間に空間を設けることが記載されているが、該空間は上記低温容器又は収納容器（チルドケース）、さらには野菜室を効果的に冷却する冷気通路としての機能を有するものと解され、該空間が野菜室の冷え過ぎを防止又は軽減するための空間であるとは認めることができない。そうしてみると、甲第１号証乃至甲第３号証には、本件請求項１乃至８に係る発明の構成要件である「冷凍室と野菜室の底面との間に及び前記野菜室の背面に断熱材を有する第２の仕切壁を設け、前記第２の仕切壁により前記野菜室の底面及び背面からの冷却を防止」する点、及び「収納容器の底面と第１の仕切壁との間に、又は収納容器と野菜室との間に、貯蔵室（冷蔵室の下方部に設けた前記冷蔵室及び前記野菜室より温度の低い貯蔵室）による前記野菜室の冷え過ぎを軽減する空間を設ける」点について記載されていない。
　してみると、本件請求項１乃至８に係る発明が、甲第１号証乃至甲第３号証記載の発明に基づいて容易に発明をすることができたものとすることができない。
　オ）申立て（Ｖ）について
　甲第１号証は上記刊行物１であって、「冷蔵庫の上部に冷蔵室、冷蔵庫の下部に冷凍室、前記冷蔵室と前記冷凍室との間に野菜室をそれぞれ独立して設け、前記冷蔵室と前記野菜室との間に第１の仕切壁を設けるとともに、前記冷凍室と前記野菜室との間に断熱材を有する第２の仕切壁を設け、前記冷蔵室の下方部に前記冷蔵室及び野菜室より温度の低い貯蔵室を構成する収納容器（肉皿等の低温容器２０）を設け、前記収納容器の底面と前記第１の仕切壁との間に空間を設けた冷蔵庫、並びに該空間が冷気戻口に連通している通風路（冷気通路）であること」が記載され、
　甲第２号証には、「冷蔵庫の上から順に冷凍室、冷蔵室、引出し式の低温容器を収容した低温室、野菜室をそれぞれ独立して設けるとともに、低温室と野菜室との間を仕切る仕切壁と前記低温容器の底面との間に冷気が流通する空間を設けた冷蔵庫」が記載され、
　甲第３号証には、「上から順に上方にフレッシュルームを有する冷蔵室、野菜室、冷凍室をそれぞれ独立して設けた冷蔵庫、及びこのような冷蔵庫において、冷蔵室の冷気を野菜室ダンパーを介して直接野菜室に導入すること、野菜室と冷凍室との間に（断熱材を有する）仕切板（仕切壁）を設けること」が記載され、
　甲第４号証には、「周囲に断熱材が配置される冷蔵庫の庫内を断熱材を有する仕切壁により冷蔵庫上部と冷蔵庫下部に分け、前記冷蔵庫上部に下方部に野菜や果物等の生鮮食品が収容されるクリスパ−（野菜容器）を設けた冷蔵室を、冷蔵庫下部に冷凍室を配置した冷蔵庫、及びこのような冷蔵庫において、冷蔵室内を上下に複数に仕切る仕切棚及び開閉ドアの内側に複数のトレーを設け、さらにその際の冷気の流れ」が記載され、
　甲第５号証には、「冷蔵庫の下方部にチルド室を設け、該チルド室には引き出し可能にチルドケースを設けるとともにチルドケースの引き出しに連動して開閉する開閉カバー（開閉蓋）をチルド室の前部に取り付けた冷蔵庫」が記載され、
　甲第６号証は上記刊行物３であって、「冷蔵庫の上から順に主貯蔵仕切室１４（冷蔵室）、食肉貯蔵室２５及び野菜保鮮室２６、冷凍食品セクション２４（冷凍室）を配し、主貯蔵仕切室１４（冷蔵室）と食肉貯蔵室２５及び野菜保鮮室２６との間は界壁１３（第１の仕切壁）で仕切るとともに、冷凍食品セクション２４と食肉貯蔵室２５及び野菜保鮮室２６との間は熱絶縁体１２を含む仕切壁（断熱材を有する第２の仕切壁）で仕切った冷蔵庫」及び「一般貯蔵仕切室（冷蔵室）は普通約３．３℃に、野菜保鮮室は一般貯蔵仕切室に近い温度または少し高い温度に維持し、食肉貯蔵室は肉の凍結温度より少し高い温度すなわち約−１．１℃に維持すること」が記載され、
　甲第７、８号証には、ナショナル＜冷凍＞冷蔵庫ＮＲ−２３１ＴＤＲが本件特許の出願前に知られたもので、この冷蔵庫の冷蔵室に配設した低温肉皿が０℃前後に保たれること、が記載されている。
　そこで、本件請求項１乃至８に係る発明と上記甲各号証記載のものとを対比、検討するに、甲第１号証乃至甲第８号証には、いずれにも、野菜室周辺各部分からの野菜室の冷え過ぎを防止（又は軽減）する点について記載がない。そして、甲第１号証には、冷蔵室と野菜室を仕切る仕切壁（冷蔵室底板）と冷蔵室の下方部に収容した肉皿等の低温容器の底面との間に空間を設けることが記載され、また、甲第２号証には、低温室と野菜室を仕切る仕切壁と低温室に収容した低温容器の底面との間に空間を設けることが記載されているが、該空間は上記低温容器を、さらには野菜室を効果的に冷却する冷気通路としての機能を有するものと解され、該空間が上記低温容器による野菜室の冷え過ぎを防止又は軽減するための空間であるとは認めることができない。そうしてみると、甲第１号証乃至甲第８号証には、本件請求項１乃至８に係る発明の構成要件である「冷凍室と野菜室の底面との間に及び前記野菜室の背面に断熱材を有する第２の仕切壁を設け、前記第２の仕切壁により前記野菜室の底面及び背面からの冷却を防止」する点、及び「収納容器の底面と第１の仕切壁との間に、又は収納容器と野菜室との間に、貯蔵室（冷蔵室の下方部に設けた前記冷蔵室及び前記野菜室より温度の低い貯蔵室）による前記野菜室の冷え過ぎを軽減する空間を設ける」点について記載されていない。
　してみると、本件請求項１乃至８に係る発明が、甲第１号証乃至甲第８号証記載の発明に基づいて容易に発明をすることができたものとすることができない。
Ｖ．むすび
　以上のとおりであるから、特許異議申立ての理由及び証拠によっては本件請求項１乃至８に係る発明の特許を取り消すことはできない。
　また、他に本件請求項１乃至８に係る発明の特許を取り消すべき理由を発見しない。
　よって、結論のとおり決定する。
【異議決定日】
平成１１年６月２１日（１９９９．６．２１）
【訂正の要旨】
（１）特許請求の範囲の請求項１の、
「【請求項１】冷蔵庫の上部に冷蔵室、冷蔵庫の下部に冷凍室、前記冷蔵室と前記冷凍室との間に野菜室をそれぞれ独立して設け、
　前記冷蔵室と前記野菜室との間に第１の仕切壁を設けるとともに、前記冷凍室と前記野菜室との間に断熱材を有する第２の仕切壁を設け、
　前記冷蔵室の下方部に前記冷蔵室及び前記野菜室より温度の低い貯蔵室を構成する収納容器を設け、
　前記収納容器の底面と前記第１の仕切壁との間に、前記貯蔵室による前記野菜室の冷え過ぎを軽減する空間を設ける
　ことを特徴とする冷蔵庫。」
の記載を、
「【請求項１】冷蔵庫の上部に冷蔵室、冷蔵庫の下部に冷凍室、前記冷蔵室と前記冷凍室との間に野菜室をそれぞれ独立して設け、
　前記冷蔵室と前記野菜室との間に第１の仕切壁を設け、冷気を前記冷蔵室から前記野菜室に導入し、
　前記冷凍室と前記野菜室の底面との間に及び前記野菜室の背面に断熱材を有する第２の仕切壁を設け、前記第２の仕切壁により前記野菜室の底面及び背面からの冷却を防止し、
　前記冷蔵室の下方部に前記冷蔵室及び前記野菜室より温度の低い貯蔵室を構成する収納容器を設け、
　前記収納容器の底面と前記第１の仕切壁との間に、前記貯蔵室による前記野菜室の冷え過ぎを軽減する空間を設ける
　ことを特徴とする冷蔵庫。」
と訂正する。
（２）特許請求の範囲の請求項２の、
「【請求項２】周囲に断熱材が配置される冷蔵庫の庫内を断熱材を有する仕切壁により冷蔵庫上部と冷蔵庫下部に分け、前記冷蔵庫上部に冷蔵室と野菜室を配置するとともに前記冷蔵庫下部に冷凍室を　配置し、前記冷蔵室と前記冷凍室の間に前記野菜室を配置し、
　前記冷蔵室の下方部に前記冷蔵室及び前記野菜室より温度の低い貯蔵室を構成する収納容器を設け、
　前記冷蔵室と前記野菜室との間に仕切壁を設け、
　前記収納容器の底面と、前記冷蔵室と前記野菜室を仕切る仕切壁と、によって形成される空間を設ける
　ことを特徴とする冷蔵庫。」
の記載を
「【請求項２】周囲に断熱材が配置される冷蔵庫の庫内を断熱材を有する第２の仕切壁により冷蔵庫上部と冷蔵庫下部に分け、
　前記冷蔵庫上部に冷蔵室と野菜室を配置するとともに前記冷蔵庫下部に冷凍室を配置し、前記冷蔵室と前記冷凍室の間に前記野菜室を配置し、
　前記冷蔵室と前記野菜室との間に第１の仕切壁を設け、冷気を前記冷蔵室から前記野菜室に導入し、
　前記第２の仕切壁は前記冷凍室と前記野菜室の底面との間に及び前記野菜室の背面に設けられ、前記第２の仕切壁により前記野菜室の底面及び背面からの冷却を防止し、
　前記冷蔵室の下方部に前記冷蔵室及び前記野菜室より温度の低い貯蔵室を構成する収納容器を設け、
　前記収納容器の底面と、前記冷蔵室と前記野菜室を仕切る前記第１の仕切壁と、によって形成される空間を設ける
　ことを特徴とする冷蔵庫。」
と訂正する。
（３）特許請求の範囲の請求項５の、
「【請求項５】請求項３に記載の冷蔵庫において、
　前記貯蔵室は、その底面が前記貯蔵室の底面となる収納容器と、前記収納容器の引き出し動作に連動して開閉する前記貯蔵室の前部に取り付けられた開閉扉とを備え、
　前記通風路は、前記収納容器の底面と、前記冷蔵室と前記野菜室とを仕切る仕切壁と、の間に形成されている
　ことを特徴とする冷蔵庫。」
の記載を
「【請求項５】請求項３に記載の冷蔵庫において、
　前記貯蔵室は、その底面が前記貯蔵室の底面となる収納容器と、前記収納容器の引き出し動作に連動して開閉する前記貯蔵室の前部に取り付けられた開閉扉とを備え、
　前記通風路は、前記収納容器の底面と、前記冷蔵室と前記野菜室とを仕切る第１の仕切壁と、の間に形成されている
　ことを特徴とする冷蔵庫。」
と訂正する。
（４）特許請求の範囲の請求項６の、
「【請求項６】周囲に断熱材が配置される冷蔵庫の庫内を断熱材を有する仕切壁により冷蔵庫上部と冷蔵庫下部に分け、前記冷蔵庫上部に冷蔵室と野菜室を配置するとともに前記冷蔵庫下部に冷凍室を配置し、前記冷蔵室と前記冷凍室の間に前記野菜室を配置し、
　前記冷蔵室の下方部に前記冷蔵室及び前記野菜室より温度の低い貯蔵室を構成する収納容器を設け、
　前記収納容器と前記野菜室との間に、前記野菜室の冷え過ぎを軽減する空間を設ける
　ことを特徴とする冷蔵庫。」
の記載を
「【請求項６】周囲に断熱材が配置される冷蔵庫の庫内を断熱材を有する仕切壁により冷蔵庫上部と冷蔵庫下部に分け、
　前記冷蔵庫上部に冷蔵室と野菜室を配置するとともに前記冷蔵庫下部に冷凍室を配置し、前記冷蔵室と前記冷凍室の間に前記野菜室を配置し、
　冷気を前記冷蔵室から前記野菜室に導入し、
　前記仕切壁は前記冷凍室と前記野菜室の底面との間に及び前記野菜室の背面に設けられ、前記仕切壁により前記野菜室の底面及び背面からの冷却を防止し、
　前記冷蔵室の下方部に前記冷蔵室及び前記野菜室より温度の低い貯蔵室を構成する収納容器を設け、
　前記収納容器と前記野菜室との間に、前記野菜室の冷え過ぎを軽減する空間を設ける
　ことを特徴とする冷蔵庫。」
と訂正する。
（５）段落番号【００１８】の記載を
「【課題を解決するための手段】
　前記課題を解決するために、本発明は主として次のような構成を採用する。」
と訂正する。
（６）段落番号【００１９】の記載を
「冷蔵庫の上部に冷蔵室、冷蔵庫の下部に冷凍室、前記冷蔵室と前記冷凍室との間に野菜室をそれぞれ独立して設け、
　前記冷蔵室と前記野菜室との間に第１の仕切壁を設け、冷気を前記冷蔵室から前記野菜室に導入し、
　前記冷凍室と前記野菜室の底面との間に及び前記野菜室の背面に断熱材を有する第２の仕切壁を設け、前記第２の仕切壁により前記野菜室の底面及び背面からの冷却を防止し、
　前記冷蔵室の下方部に前記冷蔵室及び前記野菜室より温度の低い貯蔵室を構成する収納容器を設け、
　前記収納容器の底面と前記第１の仕切壁との間に、前記貯蔵室による前記野菜室の冷え過ぎを軽減する空間を設ける冷蔵庫。
　また、周囲に断熱材が配置される冷蔵庫の庫内を断熱材を有する第２の仕切壁により冷蔵庫上部と冷蔵庫下部に分け、
　前記冷蔵庫上部に冷蔵庫と野菜室を配置するとともに前記冷蔵庫下部に冷凍室を配置し、前記冷蔵室と前記冷凍室の間に前記野菜室を配置し、
　前記冷蔵室と前記野菜室との間に第１の仕切壁を設け、冷気を前記冷蔵室から前記野菜室に導入し、
　前記第２の仕切壁は前記冷凍室と前記野菜室の底面との間に及び前記野菜室の背面に設けられ、前記第２の仕切壁により前記野菜室の底面及び背面からの冷却を防止し、
　前記冷蔵室の下方部に前記冷蔵室及び前記野菜室より温度の低い貯蔵室を構成する収納容器を設け、
　前記収納容器の底面と、前記冷蔵室と前記野菜室を仕切る前記第１の仕切壁と、によって形成される空間を設ける冷蔵庫。」
と訂正する。
（５４）【発明の名称】
冷蔵庫
（５７）【特許請求の範囲】
　　【請求項１】　冷蔵庫の上部に冷蔵室、冷蔵庫の下部に冷凍室、前記冷蔵室と前記冷凍室との間に野菜室をそれぞれ独立して設け、
　前記冷蔵室と前記野菜室との間に第１の仕切壁を設け
、冷気を前記冷蔵室から前記野菜室に導入し、
　前記冷凍室と前記野菜室
の底面
及び前記野菜室の背面
前記第２の仕切壁により前記野菜室の底面及び背面からの冷却を防止し、
　前記冷蔵室の下方部に前記冷蔵室及び前記野菜室より温度の低い貯蔵室を構成する収納容器を設け、
　前記収納容器の底面と前記第１の仕切壁との間に、前記貯蔵室による前記野菜室の冷え過ぎを軽減する空間を設ける
　ことを特徴とする冷蔵庫。
　　【請求項２】　周囲に断熱材が配置される冷蔵庫の庫内を断熱材を有する
第２の
　前記冷蔵庫上部に冷蔵室と野菜室を配置するとともに前記冷蔵庫下部に冷凍室を配置し、前記冷蔵室と前記冷凍室の間に前記野菜室を配置し、
　前記冷蔵室と前記野菜室との間に
第１の
、冷気を前記冷蔵室から前記野菜室に導入し、
　
前記第２の仕切壁は前記冷凍室と前記野菜室の底面との間に及び前記野菜室の背面に設けられ、前記第２の仕切壁により前記野菜室の底面及び背面からの冷却を防止し、
　前記冷蔵室の下方部に前記冷蔵室及び前記野菜室より温度の低い貯蔵室を構成する収納容器を設け、
　前記収納容器の底面と、前記冷蔵室と前記野菜室を仕切る
前記第１の
　ことを特徴とする冷蔵庫。
　　【請求項３】　請求項１または２に記載の冷蔵庫において、
　前記空間は通風路であることを特徴とする冷蔵庫。
　　【請求項４】　請求項３に記載の冷蔵庫において、
　前記冷蔵室は、前部にその側部が支持された開閉ドアを備え、
　前記冷蔵室内を上下に複数に仕切る仕切棚と、前記開閉ドアの内側に取り付けられた複数のトレーとを有し、
　前記仕切棚と前記トレーとの間に形成される通風路と、前記貯蔵室の収納容器の底面下方の前記通風路とを連通させる
　ことを特徴とする冷蔵庫。
　　【請求項５】　請求項３に記載の冷蔵庫において、
　前記貯蔵室は、その底面が前記貯蔵室の底面となる収納容器と、前記収納容器の引き出し動作に連動して開閉する前記貯蔵室の前部に取り付けられた開閉扉とを備え、
　前記通風路は、前記収納容器の底面と、前記冷蔵室と前記野菜室とを仕切る
第１の
　ことを特徴とする冷蔵庫。
　　【請求項６】　周囲に断熱材が配置される冷蔵庫の庫内を断熱材を有する仕切壁により冷蔵庫上部と冷蔵庫下部に分け、
　前記冷蔵庫上部に冷蔵室と野菜室を配置するとともに前記冷蔵庫下部に冷凍室を配置し、前記冷蔵室と前記冷凍室の間に前記野菜室を配置し、
　
冷気を前記冷蔵室から前記野菜室に導入し、
　
前記仕切壁は前記冷凍室と前記野菜室の底面との間に及び前記野菜室の背面に設けられ、前記仕切壁により前記野菜室の底面及び背面からの冷却を防止し、
　前記冷蔵室の下方部に前記冷蔵室及び前記野菜室より温度の低い貯蔵室を構成する収納容器を設け、
　前記収納容器と前記野菜室との間に、前記野菜室の冷え過ぎを軽減する空間を設ける
　ことを特徴とする冷蔵庫。
　　【請求項７】　請求項６に記載の冷蔵庫において、
　前記冷蔵室は、下方部に冷気戻口を備え、前記空間は前記冷気戻口に連通していることを特徴とする冷蔵庫。
　　【請求項８】　請求項１ないし７のいずれか１つの請求項に記載の冷蔵庫において、
　前記冷蔵室及び野菜室より温度の低い貯蔵室は、チルド室であることを特徴とする冷蔵庫。
【発明の詳細な説明】
　　　【０００１】
　　【発明の属する技術分野】
　本発明は、冷蔵庫の上部に冷蔵室、冷蔵庫の下部に冷凍室、前記冷蔵室と冷凍室の間に野菜室を設け、前記冷蔵室の前面に側部で支持された開閉ドアを備え、前記冷凍室及び野菜室に冷蔵庫の内壁面で支持された収納ケースとともに前後方向に引き出し可能な引出ドアを備えた冷蔵庫に関するものである。
　　　【０００２】
　　【従来の技術】
　従来の冷蔵庫は、外箱と内箱の間に断熱材を発泡充填して形成される庫内を複数の温度帯で仕切って各食品の温度に適した複数の貯蔵室を設けている。従来、上部に冷凍室、中央に冷蔵室、下部に野菜室を設けたものが主流であったが、近年、多様なレイアウトの冷蔵庫が提案されている。
　　　【０００３】
　例えば、特開平５−２２３４３１号公報（第１の従来例という）においては、中央に冷凍室を配置したミッドフリーザーと呼ばれる冷蔵庫が提案されている。その具体的な構造は、冷蔵庫の最上部に開閉ドアを備えた冷蔵室、中央に２段に分かれて配置される引出ドアを備えた冷凍室、最下部に引出ドアを備えた野菜室を配置し、野菜室の後部に圧縮機、冷凍室の後部にフアンモータと熱交換器をそれぞれ配置している。
　　　【０００４】
　また、例えば、特開平５−６０４４０号公報（第２の従来例という）においては、冷蔵庫を仕切壁を介して開閉ドアを備えた２つの貯蔵室で分割し、上部貯蔵室を最下部に引出式の野菜室を備えた冷蔵室とし、下部貯蔵室を複数の引出しを内蔵した冷凍室としている。
　　　【０００５】
　また、例えば、株式会社日立製作所は、冷蔵庫の最上部を開閉ドアを備えた冷蔵室、中央を回転収納ケース付の開閉ドアを備えた野菜室兼冷蔵室（切換式）、最下部を回転野菜収納ケースと製氷棚付の開閉ドアを備えた冷蔵室とする冷蔵庫を昭和５５年に型式Ｒ−３３６ＢＲＶ（第３の従来例という）として発売している。
　　　【０００６】
　また、例えば、実公昭３７−１８６６８号公報（第４の従来例という）においては、上下に開閉ドアを備えた貯蔵室を備え、冷蔵庫の中央あるいは腰部分に位置して引出ドアを備えた多目的の貯蔵室を備えた冷蔵庫が開示されている。
　　　【０００７】
　　【発明が解決しようとする課題】
　以上、本発明の関連技術について述べたが、以下に説明する本発明の構成においては、冷蔵室下方部に配され、且つ冷蔵室及び野菜室より温度の低い貯蔵室により、野菜室が冷え過ぎるという問題があった。本発明の目的は、冷蔵室下方部に配され、且つ冷蔵室及び野菜室より温度の低い貯蔵室の下方に空間を設けて、貯蔵室による野菜室の冷え過ぎを軽減できる冷蔵庫を提供することにある。
　　　【０００８】
　しかしながら、例えば、第１の従来例では、冷蔵室の使い勝手は向上するものの、使用頻度が少ない冷凍室より下方に野菜室を配置しているために、しゃがみ姿勢で野菜室を利用しなければならず、野菜室の使い勝手が悪いと言える。特に、野菜は鮮度がすぐ悪くなることからすれば、常に鮮度を監視しなければならない野菜室を、冷凍食品の長期保存を行う冷凍室より下方に配置することは、その使用実態にそぐわないものである。
　　　【０００９】
　更に、野菜は、縦に積んだり、あるいは無用な力を加えられると著しく鮮度を落すことが知られているが、前記第１の従来例では、野菜室の後方に圧縮機を設けているために、野菜室の背面部が斜めとなり、この斜面に収納した野菜が他の野菜を押して鮮度を落とす課題がある。更には、前記第１の従来例では、庫内温度が冷蔵室や野菜室とは大きく異なる冷凍室を冷蔵室と野菜室の間に配置しているために、冷凍室の上下に断熱材を設けなければならない。
　　　【００１０】
　また、冷凍室を野菜室の上方に配置しているために、これに付随して配置される熱交換器とフアンモータが必然的に上方に配置され、圧縮機と熱交換器との間にデッドスペースが形成されるばかりか、重心が上方に移って冷蔵庫自体の安定感が悪くなる課題がある。
　　　【００１１】
　一方、例えば、前記第２、３の従来例では野菜室を中央に配置しているために、前記第１の従来例の位置的な使い勝手は向上するものの、この種のタイプの実施化状況をみると、野菜室が１０００ｍｍ以上の高い位置に配置されているために、流し台での作業との連携作業や、大物野菜の出し入れに課題がある。
　　　【００１２】
　更に、例えば、前記第２の従来例では、野菜室を冷蔵室内に配置しているために、野菜室を使用する際に常に開閉ドアと引出しを開閉させなければならない。しかも庫内温度の低下や、引出しを引出した状態で開閉ドアを閉めた際の損傷の課題がある。
　　　【００１３】
　また、例えば、前記第３の従来例では、中央の貯蔵室を切り換えることで野菜室にすることができるが、この野菜室兼冷蔵庫は開閉ドアの内側に更に開閉収納ケースが設けられているために、使用に際し常に２つの開閉動作が必要となる。しかも、この従来例では、開閉ドアと回転収納ケースが片方ヒンジで開閉するために重心が斜め前方に移動して本体の安定感が悪くなる課題がある。また、この従来例では、全ての貯蔵室を開閉ドアとしているために、下方に配置された貯蔵室の使い勝手に課題がある。
　　　【００１４】
　また、例えば、第４の従来例では、中央の貯蔵室の構造は開示されているものの、上下貯蔵室の具体的な開示がない。更に、各貯蔵室の庫内温度に関連した冷蔵庫として具体的な開示がない。加えて、最下部の貯蔵室は開閉ドアであるために、しゃがみ姿勢での下部貯蔵室の使い勝手に課題がある。
　　　【００１５】
　本発明の第１の目的は、冷蔵室と野菜室と冷凍室を使用頻度の高い順番にしたがって上下に配置して、使い勝手の良好な冷蔵庫を提供することにある。
　　　【００１６】
　本発明の第２の目的は、野菜室をかがみ姿勢に適したドア構造として、この姿勢に最適な動作領域に野菜室を配置した冷蔵庫を提供することにある。
　　　【００１７】
　本発明の第３の目的は、食品を適温で保存するチルド室を冷蔵室の下部に配置して使い勝手の良好な冷蔵庫を提供することにある。
　　　【００１８】
　　【課題を解決するための手段】
　
前記課題を解決するために、本発明は主として
　　　【００１９】
　冷蔵庫の上部に冷蔵室、冷蔵庫の下部に冷凍室、前記冷蔵室と前記冷凍室との間に野菜室をそれぞれ独立して設け、
　前記冷蔵室と前記野菜室との間に第１の仕切壁を設け
、冷気を前記冷蔵室から前記野菜室に導入し、
　前記冷凍室と前記野菜室
の底面
及び前記野菜室の背面
前記第２の仕切壁により前記野菜室の底面及び背面からの冷却を防止し、
　前記冷蔵室の下方部に前記冷蔵室及び前記野菜室より温度の低い貯蔵室を構成する収納容器を設け、
　前記収納容器の底面と前記第１の仕切壁との間に、前記貯蔵室による前記野菜室の冷え過ぎを軽減する空間を設ける冷蔵庫。
　
また、
第２の
　前記冷蔵庫上部に冷蔵室と野菜室を配置するとともに前記冷蔵庫下部に冷凍室を配置し、前記冷蔵室と前記冷凍室の間に前記野菜室を配置し、
　前記冷蔵室と前記野菜室との間に
第１の
、冷気を前記冷蔵室から前記野菜室に導入し、
　
前記第２の仕切壁は前記冷凍室と前記野菜室の底面との間に及び前記野菜室の背面に設けられ、前記第２の仕切壁により前記野菜室の底面及び背面からの冷却を防止し、
　前記冷蔵室の下方部に前記冷蔵室及び前記野菜室より温度の低い貯蔵室を構成する収納容器を設け、
　前記収納容器の底面と、前記冷蔵室と前記野菜室を仕切る
前記第１の
　　　【００２０】
　　【発明の実施の形態】
　以下、本発明に係る冷蔵庫の実施形態を図１〜図２７を参照して説明する。なお、同一の部位、あるいは矢印等は同一符号をもって示し重複した説明を省略する。
　　　【００２１】
〔第１の実施形態〕
　図１〜図２１は、本発明に係る冷蔵庫の第１の実施形態であり、図１〜図３は外観図、図４は縦中央断面図、図５〜図７は通風通路の説明図、図８〜図１０は冷蔵庫の使用実態と各貯蔵室の配置説明図、図１１〜図１３は引出ドアの説明図、図１４〜図１８は野菜室の説明図、図１９〜２１は冷凍室の説明図である。
　　　【００２２】
　先ず、図１〜図３において、外観構造を説明する。図１は外観斜視図、図２は開状態の外観斜視図、図３は正面図と部分側面図である。
　　　【００２３】
　図１、図２において、符号１で総括的に示すのは冷蔵庫であり、冷蔵庫１の最上部に開閉ドア１０を備えて配置される冷蔵室１００と、該冷蔵室１００の下方に配置される引出ドア２０を備えた野菜室２００と、該野菜室２００の下方に配置される引出ドア３０を備えた上部冷凍室３００と、冷蔵庫１の最下部に配置される引出ドア４０を備えた下部冷凍室４００とから構成される。なお、この冷蔵庫１は、上部冷凍室３００と下部冷凍室４００とで冷凍室８００を構成する。
　　　【００２４】
　そして、前記冷蔵庫１は、冷蔵庫１が置かれる床面Ｆから、前記冷蔵庫１の上端部までの高さをＨ１、前記野菜室２００の引出ドア上端部までの高さをＨ２、前記上部冷凍室３００の引出ドア上端部までの高さをＨ３、前記下部冷凍室４００の引出ドア上端部までの高さをＨ４に設定している。例えば、この実施形態では、Ｈ１を１７３０ｍｍ、Ｈ２を９３２ｍｍ、Ｈ３を６１１ｍｍ、Ｈ４を３７４ｍｍに設定している。また、横幅がＷ、奥行きがＤに設定され、例えば、この実施形態では、Ｗを５９０ｍｍ、Ｄを６９０ｍｍに設定している。
　　　【００２５】
　図３において、この実施形態では、開閉ドア１０の高さ長ｈｌを７８８ｍｍとして最も大きくし、次に高さ長ｈ２を３１２ｍｍとした引出ドア２０、次に高さ長ｈ４を２９０ｍｍとした引出ドア４０とし、引出ドア３０の高さ長ｈ３を最も小さい２２９ｍｍに設定している。なお、各ドア間の隙間を９ｍｍ前後とし、最下部には筐体２の底面に設けた移動車輪３の目隠しのための袴５０を設けている。
　　　【００２６】
　また、開閉ドア１０は、片側の上下に設けたヒンジ部６０で開閉可能に筐体２に取付けられる。開閉ドア１０の自由端側には、開閉ドア１０の全高の７割以上を占める縦長の縦ハンドル１１が設けられている。該縦ハンドル１１は、縦長弓形の凹部１３と、該凹部１３の片側中央に設けられる細長い手掛部１２とから構成され、該手掛部１２に指を引っ掻けて開閉ドア１０を開閉することができる。
　　　【００２７】
　引出ドア２０は、上端に、ドア幅一杯に形成される下方に円弧状に張り出した手掛部２２と、該手掛部２２の下部に形成される横長弓状の凹部２３とから構成される横ハンドル２１を設けている。前記下方に円弧状に張り出した手掛部２２は、他の部材と異なる色彩が施されて目立つようにデザイン処理されることで、正面のほぼ中央に強いアクセントラインを形成して意匠的に向上させるとともに、その大きさを利用して銘板２４を備えるスペースとして利用される。引出ドア３０，４０は、上端中央に、横長の手掛部３２，４２と、凹部３３，４３とからなる横ハンドル３１，４１が設けられている。
　　　【００２８】
　次に、図４において、内部構造を説明する。図において、筐体２は、鋼板製の外箱３と樹脂製の内箱４との間に断熱材５を発泡充填して形成される。また、開閉ドア１０及び引出ドア２０，３０，４０もまた前記筐体２と同様な構造を備えている。
　　　【００２９】
　冷蔵室１００は、その内部を上下に複数に仕切る棚１０２と、最下部に配置されるチルド室１０４と、開閉ドア１０の内側に取付けられる複数のトレー１２６を備えている。この冷蔵室１００は、庫内温度が４゜Ｃに設定され、貯蔵室で最も大きな収納容積ＶＲを備えている。なお、チルド室１０４は開閉扉１０６を備えて−１°Ｃに設定される。
　　　【００３０】
　また、野菜室２００は、周側面がほぼ垂直で上方が開放した収納ケース２０２が、引出ドア２０の開閉機構６００（図１３参照）に支持されて引出ドアと一体となってスライド可能に設けられている。この構造により、引出ドア２０を引出すことにより、収納ケース２０２が引出され収納する食品の出し入れを行うことができるとともに、該収納ケース２０２を引出ドア２０から取り外して清掃することができる。
　　　【００３１】
　収納ケース２０２の上部後方には、前記収納ケース２０２と連動して、あるいは引出ドア２０の開いた状態で独立して出し入れ可能な他の収納ケース２０４が配置されている。この２段構造により野菜の縦積みを軽減して鮮度維持を図り、収納性を向上することができる。この野菜室２００は、庫内温度が３゜Ｃに設定され、上部冷凍室または下部冷凍室よりも大きな収納容積ＶＶを備えている。
　　　【００３２】
　上部冷凍室３００と下部冷凍室４００からなる冷凍室８００は、庫内温度が−１８゜Ｃに設定され、冷蔵室１００の収納容積ＶＲに次ぐ大きさを備えた収納容積ＶＦを備えている。上部冷凍室３００は、周側面がほぼ垂直で上方が開放した収納ケース３０２が、引出ドア３０の開閉機構６００に、収納ケース２０２と同様に着脱自在に支持されて設けられている。また、上部冷凍室３００の片側上面には、引出ドア３０の開閉に連動して前後方向に移動する製氷棚が設けられている。下部冷凍室４００は、背面が斜めに形成されて上方が開放した収納ケース４０２が、引出ドア４０の開閉機構６００に、収納ケース２０２と同様に着脱自在に支持されて設けられている。
　　　【００３３】
　この実施形態では、冷凍室８００を上部冷凍室３００と下部冷凍室４００とに上下に分けることで、それぞれの引出し収納の深さを小さくして収納食品の出し入れを良好にしている。しかも、下部冷凍室４００が後部に設けられる機械室６００により、収納容量に制約があるため、下部冷凍室４００の深さを上部冷凍室３００の深さより大きくして、上部冷凍室３００の収納容積ＶＦ１と下部冷凍室４００の収納容積ＶＦ２をほぼ同じ大きさに設定しているので、普段よく使う食品を上方の薄い収納ケース３０２内に収納して使い易さを向上し、制約のある下方の収納ケース４０２にときどき使うストック食品を収納することで使いにくさを軽減している。
　　　【００３４】
　さて、この冷蔵庫１では、野菜室２００の上部に庫内温度が近似した冷蔵室１００、野菜室２００の下部に庫内温度が著しく異なる上部冷凍室３００を配置したので、断熱材５を備えた仕切壁７０を野菜室２００と上部冷凍室３００との間に１ケ所設ければよく、庫内容積を大きくとることができる。ここで、冷蔵室１００と野菜室２００との間には図示しない冷気通風路を備えた断熱材のない仕切壁７１を設け、上部冷凍室３００と下部冷凍室４００の間には仕切壁７２を設けている。
　　　【００３５】
　なお、この実施形態では、全体の収納容積Ｖを３７０ｌ（リットル）とし、冷蔵室１００の収納容積ＶＲを２００ｌ、野菜室２００の収納容積ＶＶを７０ｌ、上部冷凍室３００と下部冷凍室４００との合計の冷凍室８００の収納容積ＶＦを１００ｌに設定している。ここで、上部冷凍室３００の収納容積ＶＦ１と下部冷凍室４００の収納容積ＶＦ２をほぼ同じ大きさとしている。
　　　【００３６】
　また、下部冷凍室４００の後方に、圧縮機５０２を備えた機械室５００、上部冷凍室３００の後方に熱交換器５０４、野菜室２００の後方下部にフアンモータ５０６、野菜室２００の収納ケース２０４とチルド室１０４の後方に跨って冷気分配器（冷気供給量調整機）５０８が配置される。
　　　【００３７】
　この配置構造によれば、重量のある圧縮機５０２を背面の最下部に設けたので冷蔵庫１の重心を下げて安定させることができる。また、冷却源である熱交換器５０４を、庫内温度が高い野菜室２００と段違いにして、庫内温度が最も低い冷凍室８００（上部冷凍室３００）の後方に近接配置したので、野菜室２００内の庫内温度低下を軽減して、冷凍室８００（上部冷凍室３００）を効率よく冷すことができる。特に、この発明に係る冷蔵庫１では冷凍室８００を最下部に配置しているので、必然的に熱交換器５０４を下方に配置することができるから、機械室５００と熱交換器５０４との間に形成されるデッドスペースを無くすことができる。
　　　【００３８】
　更には、熱交換器５０４とその上部に配置されるフアンモータ５０６、冷気分配器（冷気供給量調整機）５０８を下方に下げることができるから、冷蔵庫１の重心を下方に下げて冷蔵庫１の設置性を向上することができる。
　　　【００３９】
　また、野菜室２００の収納ケース２０４（上部後方にある）を、やや厚みのあるフアンモータ５０６の上方に設けた厚みの比較的薄い冷気分配器５０８と隣設したので収納ケース２０２より収納ケース２０４を後方にずらして配置することができるから、周囲がほぼ垂直面で形成される収納スペースを維持したまま野菜室２００の収納容量ＶＶを増やすことができる。
　　　【００４０】
　また、冷気分配器５０８を冷蔵室１００内で庫内温度が低いチルド室１０４と隣接配置したので、冷蔵室１００の冷え過ぎを防いで、冷気を直接チルド室１０４に吹き出して効率よく冷すことができる。
　　　【００４１】
　次に、図４〜図７を参照して冷気の流れについて説明する。先ず、熱交換器５０４で生成された冷気は、フアンモータ５０６により冷気分配器５０８と冷凍室８００（上部冷凍室３００と下部冷凍室４００）に送風される。冷気分配器５０８に送風された冷気は、該冷気分配器５０８により冷蔵室１００とチルド室１０４に分流される。この冷気通風路構造を周辺構造と合わせて図５、図６で詳細に説明する。
　　　【００４２】
　図５は冷蔵室１００の正面図、図６の（ａ）は冷蔵室１００の部分断面図、図６の（ｂ）はチルド室１０４廻りの正面透視図である。
　　　【００４３】
　図５において、冷蔵室１００の背面側内壁の壁面中央には、庫内照明装置１０８と冷気通路１１０を備えたダクト１１２がフラットに取付けられている。ダクト１１２は、横幅が冷蔵室１００の半分の大きさで、上下方向が冷蔵室１００の高さ一杯の大きさを備え、その中央に縦長の庫内照明装置１０８が設けられ、該庫内照明装置１０８の両側に、前記冷気分配器５０８から「Ｙ字」状に分岐された冷気通路１１０ａ、１１０ｂが設けられている。
　　　【００４４】
　前記庫内照明装置１０８は複数の仕切棚１０２に跨るように配置され、更に冷気通路１１０ａ、１１０ｂには仕切棚１０２の各段に冷気が行き届くようにそれぞれの棚段に冷気口１１４が設けられている。この構造により、各仕切棚１０２に収納した食品を、背面中央に設けた庫内照明装置１０８によりまんべんなく、かつ効率よく照らすことができる。
　　　【００４５】
　加えて、各仕切棚１０２に収納した食品を、背面にほぼ均等に配置される各段２つの冷気口１１４から冷気を吹き出して効率よく冷すことができる。なお、庫内照明装置１０８は、冷蔵室１００のやや上方に光源１１６を設けて、その前部に、縦４２２．５ｍｍ、横幅７０ｍｍの大きさの透光性素材１１８をフラットに設けている。また、庫内照明装置１０８は、光源１１６の長手方向を壁面と並行させて接近配置することで奥行き寸法を小さくして、その背面側に設けられる図示しない反射面を介して前記透光性索材１１８から照らせるようにコンパクトに構成されている。
　　　【００４６】
　図６において、チルド室１０４の冷気供給は、冷気分配器５０８の前面に設けた冷気口１２４から直接吹き出して、チルド室１０４内のトレー１２２の上方から下方の隙間を通って冷気口１２４の下方に設けた排気口１２５から冷媒循環系へ戻されるようにしている。また、チルド室１０４に供給された冷気の一部は野菜室２００に供給される。
　　　【００４７】
　チルド室１０４は冷蔵室１００内に透明なボックス１２０で仕切られており、トレー１２２を引出すことにより、連動して開閉扉１０６が開くようになっている。このため、透明なボックスを介して排気口１２５が見えるので、排気口１２５を極力下部に設けて、開閉ドア１０の開閉時に見えないように工夫している。
　　　【００４８】
　また、冷気分配器５０８の前面下方には、野菜室２００から冷気を排気する排気口２０６を設けている。なお、５１０は制御ボックスである。
　　　【００４９】
　図４に戻り、冷蔵室１００の背面の壁面から吹き出された冷気は、矢印に沿って、冷蔵室１００内を冷して仕切板７１に設けた冷気通路を介して野菜室２００に導かれる。また、チルド室１０４に吹き出された冷気はトレー１２２の上面と下面を通して冷媒循環系へ戻され、冷蔵室１００や野菜室２００の冷え過ぎを軽減している。ここで、この実施形態では、チルド室１０４（トレー１２２）と仕切板７１との間に風路が形成されるから、新たに断熱材を設けることなく、野菜室２００に対する庫内温度の低いチルド室１０４の悪影響を軽減することができる。
　　　【００５０】
　そして、野菜室２００に導かれた冷気は収納ケース２０２，２０４の周囲を通過して後、排気口２０６を介して排気ダクト５１２から冷媒循環系へ戻される。その後の冷気通路を図７で説明する。
　　　【００５１】
　図７は背面の概略構成を示す透視図を示している。図において、排気ダクト５１２で冷媒循環系へ戻された冷気は、熱交換器５０４の下方に設けたドレントレー５１４に導かれ、再び熱交換器５０４で冷却されてフアンモータ５０６に導かれる。ドレントレー５１４は、下部が傾斜しており、その下端部にドレンホース５１６が設けられているので、冷却器５０４に付いた露をドレントレー５１４で受けて、冷蔵庫１の底面に設けた図示しない露受け皿に導くことができる。
　　　【００５２】
　図４に戻り、一方、上部冷凍室３００と下部冷凍室４００に供給された冷気は、収納ケース３０２，４０２の内外を循環して前記ドレントレー５１４に戻される。このように、この実施形態に係る冷蔵庫１では冷気が前記流通経路を循環しながら効率よく庫内を冷却することができる。
　　　【００５３】
　また、開閉ドア１０や引出ドア２０，３０，４０の開閉にともなう温度低下は、各貯蔵室内や通路に設けた図示しないセンサーにより検知され、制御ボックス内に設けた図示しないマイコンが、冷気分配器５０８や圧縮機５０２を制御して庫内温度をコントロールする。
　　　【００５４】
　次に、図８〜図１０を参照して、冷蔵室１００と野菜室２００と冷凍室８００（上部冷凍室３００と下部冷凍室４００）の配置に伴う使い勝手を説明する。図８は、冷蔵庫１の設置状態図、図９は冷蔵庫の各貯蔵室の使用頻度を示す説明図、図１０は人間の姿勢と冷蔵庫１の各貯蔵室の配置の関係を示す説明図である。
　　　【００５５】
　図８において、冷蔵庫１の使い勝手を考える場合、設置環境と、冷蔵庫を使う人間の使用形態を考慮する必要がある。つまり、冷蔵庫１は台所に設置される以上、台所で並べて使用されるケースが多い流台７００（図１０参照）や食器棚等　との住宅設備品との関係を考慮しなければならない。
　　　【００５６】
　　特に、冷蔵庫１と流台７００との関係は料理の一環作業として頻繁に使用されるために重要である。そして、当然のように、前記一環作業の流れは、それを使う人間の使用形態に合ったものでなければならない。本実施形態に係る冷蔵庫１は前記観点に立って計画されている。
　　　【００５７】
　例えば、日本人の標準的な女性（身長１５５ｃｍ）が冷蔵庫１から４００ｍｍ離れて冷蔵庫１を使う場合、立ち姿勢で楽に手が届く範囲Ｙ２は、下方が６３０ｍｍ、上方が１３４０ｍｍである。１３４０ｍｍの上方は肩より上の収納範囲Ｙ１となる。また、かがみ姿勢になるときに楽に手が届く収納範囲Ｙ３は、下方が３１０ｍｍ、上方が６３０ｍｍである。そして、３１０ｍｍの下方はしゃがみ姿勢になるときに楽に手が届く収納範囲Ｙ３である。
　　　【００５８】
　また、標準的な女性の肘の高さは９７０ｍｍであり、この位置から下方であれば肘を上げることなく食品の出し入れが容易である。
　　　【００５９】
　これらの点から、冷蔵庫１の作業性をみると、肘の高さ９７０ｍｍから上方に配置される貯蔵室は開閉ドア１０での立ち姿勢の作業動作が良好である。一方、肘の高さは９７０ｍｍから下方では、何れの姿勢でも、貯蔵室内を見渡しながら食品を出し入れできる引出ドア２０，３０，４０の作業性が優れている。
　　　【００６０】
　特に、立ち姿勢での作業性を考慮した場合、標準的な日本人女性の手の届く下側の高さが６４３ｍｍであることから、肘の高さ９７０ｍｍより下方に配置された引出ドア２０は、引出ドア２０の床面からの高さが６４３ｍｍ以上であれば、立ち姿勢で食品の出し入れを楽な姿勢で行うことができる。この引出ドア２０の床面からの高さは、立ち姿勢から楽に姿勢を変えられるかがみ姿勢であれば、より下方に設定される。つまり、前記肘の高さより低い位置で、立ち姿勢とかがみ姿勢の手の届く範囲内に引出ドアを設ければ、食品の出し入れを容易に行うことができる。
　　　【００６１】
　前記した寸法関係は、あくまで標準的な女性をモデルにした数値であり、その数値範囲は、例えば、通常台所で履かれるスリッパの高さを考慮したり、使用者のカバー率、収納容量等のその他の諸条件を考慮する必要がある。
　　　【００６２】
　冷蔵庫の使用実態を調査すると、図１０に示すように、冷蔵庫１は台所の流台７００と並べて設置され、立ち姿勢での料理作業の際に頻繁に利用される。その使用頻度は、図９に示すように、冷蔵室１００、次に野菜室２００、次に冷凍室８００（上部冷凍室３００と下部冷凍室４００）と続く。この立ち姿勢での使用実態からすれば、上部に冷蔵室１００、中央に野菜室２００、下方に冷凍室８００（上部冷凍室３００と下部冷凍室４００）を配置することで、立ち姿勢からかがみ姿勢、しゃがみ姿勢へ移る動作を少なくして作業動作を楽にすることができる。
　　　【００６３】
　一方、台所の住宅環境を考慮すると、一般的な台所の吊り戸棚の下部が１８００ｍｍであることからすれば、何れの台所にも設置可能とするためには、冷蔵庫１の最上部までの高さＨｌが１８００ｍｍ以下であればよい。
　　　【００６４】
　一方、冷蔵庫１に隣接される流台７００は、テーブル（調理台）までの高さが８５０ｍｍ、蛇口７０２までの高さが８７０ｍｍ程度である。したがって、立ち姿勢、または立ち姿勢から容易に姿勢を変えることができるかがみ姿勢では、肘の高さは９７０ｍｍを基準にして、前記動作範囲内に利用頻度の高い貯蔵室を配置することで、流台７００での作業と冷蔵庫１での作業を大きく姿勢を変えることなくスムーズに一連の作業として楽に行うことができる。
　　　【００６５】
　さて、本実施形態に係る冷蔵庫１においては、貯蔵室の配置を使用頻度の高い順番にしたがって、上方から下方に冷蔵室１００、野菜室２００、冷凍室８００を配置し、更に、冷凍室８００を２分割して、上部に利用頻度の高い上部冷凍室３００、下部にストック食品を収納する利用頻度の低い下部冷凍室４００を配置しているために、立ち姿勢からの各姿勢への移動動作を使用頻度に対応して効率良く軽減することができる。
　　　【００６６】
　また、肘の高さを基準にして上方のドアを開閉ドア１０とし、肘の高さより低いドアを引出ドア２０，３０，４０としているので、各貯蔵室のドア構造を動作姿勢に合った構造としている。
　　　【００６７】
　また、本実施形態の冷蔵庫１は、上端部までの高さＨ１を１７３０ｍｍに設定しているので、ほとんどの台所に設置可能であり、台等を使わないで冷蔵室１００の上段の棚１０２に収納した食品の出し入れを行うことができる。
　　　【００６８】
　また、野菜室２００は、上端部までの高さＨ２を使用者の肘の高さより低い９３２ｍｍ、収納ケース２０２の床面（底面）の高さＨ５を立ち姿勢で手の届く６４３ｍｍに設定しているので、肘を上げることなく食品を出し入れして流台７００との連携作業を立ち姿勢で楽に行うことができる。しかも、収納ケース２０２，２０４の内部を首の動きだけで目視できるので、収納ケース２０２，２０４内が見易い。
　　　【００６９】
　また、前記上部冷凍室３００は、上端までの高さをＨ３をかがみ姿勢の上限（６３０ｍｍ）より低い６１１ｍｍ、収納ケース３０２の床面（底面）の高さＨ６をかがみ姿勢の下限（３１０ｍｍ）より高い４０４ｍｍに設定しているので、かがみ姿勢での食品の出し入れを容易に行うことができる。
　　　【００７０】
　そして、最も使用頻度の低い下部冷凍室４００は、上端部までの高さＨ４をしゃがみ姿勢での上限の高さより高く設定することで、下部冷凍室４００の上積みの食品をかがみ姿勢で出し入れできるようにし、利用頻度の極端に低い下積みの食品をかがみ姿勢で出し入れするようにするとともに、引出ドア４０の上端に横ハンドル４１を設けてかがみ姿勢での開閉を可能にしている。
　　　【００７１】
　また、開閉ドア１０に設けられた縦ハンドル１１は立ち姿勢で開閉が楽な位置に配置され、引出ドア２０，３０，４０に配置される横ハンドル２１，３１，４１は少なくとも立ち姿勢またはかがみ姿勢の範囲内に配置されているので、開閉時に力が入れやすく、ドア開閉を楽に行うことができる。特に、縦ハンドル１１は縦に長く設けられているので、使用者は自分の姿勢に合った位置をつかんで開閉することができる。
　　　【００７２】
　このように、本実施形態に係る冷蔵庫によれば、冷蔵室１００と野菜室２００と上部冷凍室３００と下部冷凍室４００を、利用頻度の高い順位で上方から順次配置し、それぞれの貯蔵室を使用者の立ち姿勢、かがみ姿勢、しゃがみ姿勢に適したドア構造で、各姿勢に最適な動作領域に配置することで、貯蔵室の使用頻度と使用者の動作姿勢に合った冷蔵庫が提供される。
　　　【００７３】
　ここで、前記した本実施形態に係る冷蔵庫１の寸法態様は、一実施態様であり、この寸法態様に限定されるものではない。つまり、冷蔵庫１の上端部までの高さＨ１、野菜室２００の引出ドア上端部までの高さＨ２、冷凍室８００（上部冷凍室３００）の引出ドア上端部までの高さＨ３を、それぞれ、Ｈ１≦１８００ｍｍ、Ｈ２≦１０００ｍｍ、Ｈ３≧５６０ｍｍの範囲に設定することにより、前記実施形態と同様な効果を得ることができいる。この際、冷凍室８００を上部冷凍室３００と下部冷凍室４００とで構成し、下部冷凍室４００の引出ドア上端部の高さＨ４を、Ｈ４≧３５０ｍｍに設定することにより、前記実施形態と同様な効果を得ることができる。
　　　【００７４】
　また、野菜室２００の引出ドア上端部までの高さＨ２、野菜室２００の収納ケース２０２の床面の高さＨ５を、それぞれ、Ｈ２≦１０００ｍｍ、５６０≦Ｈ５≦７２０ｍｍとすることで、多くの使用者が野菜室２００の中が見渡せて整理がしやすく、食品の出し入れが容易な野菜室２００を提供することができる。
　　　【００７５】
　更に、収納ケース２０２の引出ドア上端部からの深さＵ１（図４参照）を、Ｕ１≧２５０ｍｍとし、更に、８５０ｍｍ≦Ｈ２≦１０００ｍｍ、５６０≦Ｈ５≦７２０ｍｍ、とすることにより、流台７００との連携作業が良好にしながら、野菜の縦収納を可能として新鮮度を高め、多くの使用者が野菜室２００の中が見渡せて、食品の出し入れが容易な野菜室２００を提供することができる。
　　　【００７６】
　次に、図１１〜図１３において、引出ドアの開閉構造について説明する。図１１は引出ドアの開閉機構の概略図、図１２は図１１の要部拡大断面図、図１３は引出ドアの従来例との動作比較図である。
　　　【００７７】
　図１１、図１２において、引出ドア２０，３０，４０が採用する開閉引出構造（開閉機構）６００について説明する。開閉引出構造６００は、貯蔵室の両側の壁面に埋め込んで形成される第１のガイドレール６１０と、該第１のガイドレール６１０上をローラ６２１を介して移動する第２のガイドレール６２０と、該第２のガイドレール６２０上をローラ６３１を介して移動する引出ドア２０（３０，４０）を備えた支持体６３０と、第１のガイドレール６１０と第２のガイドレール６２０の分離を防止する第１のストッパ６４０と、第２のガイドレール６２０と支持体６３０の分離を防止する第２のストッパ６４１とから構成され、収納ケース２０２（３０２，４０２）が、前記支持体６３０に着脱可能に取付けられる。
　　　【００７８】
　第１のガイドレール６１０は、断面が「コ」字状に形成され、ローラ６２１とその回転軸６２２が移動でき、かつ、ローラ６２１の直径と適度な隙間を備えた大きさに形成される。第２のガイドレール６２０は、下端部が内側に屈折した「Ｌ」字状の断面形状を備え、外側面の後部側にローラ６２１が回転軸６２２を介して取付けられ、内側面の前部側にローラ６３１が回転軸６３２を介して取付けられる。
　　　【００７９】
　ローラ６２１，６３１は少なくとも２個以上設けられ、第２のガイドレール６２０と支持体６３０を水平に移動できるようにしている。支持体６３０は、「Ｓ」字状の断面形状を備え、「Ｓ」字状の上部「コ」字状部を、ローラ６３１とその回転軸６３２が移動でき、かつ、ローラ６３１の直径と適度な隙間を備えた大きさに形成される。なお、この実施形態では、第２のガイドレール６２０を「Ｌ」字状、支持体６３０を「Ｓ」字状とすることにより、開閉引出構造６００の剛性を高めている。
　　　【００８０】
　左右に設けた支持体６３０は、その前部を引出ドア２０に、その後部を連結部材６５０にそれぞれ取付けることで、上面から見て「ロ」字状の枠体を構成し、該枠体に収納ケース２０２を挿入して、収納ケース２０２の縁体２０２ａを、支持体６３０と連結部材６５０で支持することにより、収納ケース２０２が着脱自在に設けられる。また、第１、第２のストッパ６４０，６４１は、第１のガイドレール６１０の先端部と、支持体６３０の後端部に、ローラ６２１，６３１の移動を阻止するような突起状をなして取付けられている。
　　　【００８１】
　さて、この開閉引出構造６００によれば、第２のガイドレール６２０が、第１のガイドレール６１０と支持体６３０の中間連結部材となって、支持体６３０に取付けられる収納ケース２０２を水平を維持したまま大きく前方に引き出すことができるから、収納ケース２０２全体を上方から見渡すことができるとともに、食品の出し入れを容易に行うことができる。
　　　【００８２】
　この際、開閉引出構造６００は最大限に引き出した状態で、ストッパ６４０，６４１によりローラ６２１，６３１の移動が阻止されるから、引出ドア２０の引き出し過ぎによる落下を防止することができる。更に、収納ケース２０２が大きく前方に引き出されるから、収納ケース２０２の取外しを容易にすることができるので、収納ケース２０２の清掃を容易に行うことができる。
　　　【００８３】
　一方、収納状態では、第１、第２のガイドレール６１０，６２０と支持体６３０が３重になってコンパクトに収納される。
　　　【００８４】
　図１３において、図１３の（ａ）に示す本実施形態に係る開閉引出構造６００によれば、収納ケース２０２及び収納物の重量を両側の第１のガイドレール６１０で分散して支持することができる。したがって、引出ドア２０を引き出しても収納ケース２０２の重心Ｇは前方にスライド移動するだけなので、筐体２の底面前部に設けた図示しない脚部により、移動した重心Ｇの加重を左右均等に支持することができる。
　　　【００８５】
　更に、第１のガイドレール６１０を貯蔵室の両壁面に埋め込んで、貯蔵室とほぼ同じ大きさの収納ケースを採用することができるから、デッドスペースを少なくして効率よい収納が図れる。
　　　【００８６】
　一方、図１３の（ｂ）に示す、開閉ドア６５０と回転式の収納ケース６５１を備えた従来例では、回転ドア６５０と収納ケース６５１を開くと、斜め前方に重心Ｇが移動する。しかも、それらの加重はすべて一方のヒンジ部と脚部にかかるので、ヒンジ部の大型化を招いたり、冷蔵庫全体のバランスを崩してしまうこととなる。
　　　【００８７】
　また、この構造では開閉ドア６５０の存在により、図示の左側から食品を出し入れせざるを得なくなり、引出ドアに較べると食品出し入れの作業性が悪い。更に、この実施形態では収納ケース６５１を引き出すためにデッドスペースが生じるから効率よい収納が図れない。
　　　【００８８】
　次に、図２及び図１４〜図２１を参照して、各貯蔵室を詳細に説明する。なお、各貯蔵室の具体的な大きさは先に示したので説明を省略する。
　　　【００８９】
　図２において、冷蔵室１００は、庫内上段に固定された薄い透明な棚１０２を設け、中段に透明な可変棚１２４を並べて設けている。可変棚１２４は、底面及び前方が連続して開放し、両壁面と背面壁で棚（天板）を支える構造としている。このため、可変棚１２４を裏返すことで、封を切った牛乳パックや生樽等を立てたまま、あるいはスイカや底の深いナベをそのまま収納することができる。
　　　【００９０】
　また、庫内最下部に配置されるチルド室１０４は、全体を透明樹脂材で囲っているので、低温・高湿保存で、風味とみずみずしさを保つことができる。また、図示しない自動製氷装置を付ける場合は、このチルド室１０４の左右幅を小さくして、片側に給水タンクを備えるようにする。
　　　【００９１】
　開閉ドア１０の内側には複数のトレー１２６が着脱自在に配置される。この実施形態では最下部のトレー１２６ａを２段トレーとして、ペットボトルと調味料の小瓶を前後に重ねて収納できるようにしている。
　　　【００９２】
　図１４〜図１８において野菜室２００を説明する。図１４は引出ドア２０を引き出した状態の部分外観図、図１５は収納ケース２０４を引き出した状態の部分外観図、図１６は開閉動作を示す部分断面図、図１７は収納形態を示す対比図、図１８は収納ケース２０２の説明図である。
　　　【００９３】
　図１４〜図１６において、この実施形態では、野菜室２００を収納ケース２０２，２０４とからなる２段構造としている。収納ケース２０２は、前記開閉引出構造６００により引き出すことができ、収納ケース２０４は、図１４に示す庫内収納状態では、野菜室２００の両壁面に設けたガイドレール２０６で支持され、図１５に示す引き出した状態では、収納ケース２０２の両側の縁体２０２ａをガイドレールとして支持される。この動作状況を図１６をもとに説明する。
　　　【００９４】
　図１６の（ａ）は引出ドア２０を閉めた状態を示している。この状態では、収納ケース２０４は、野菜室の両壁面に設けたガイドレール２０６（図示１４参照）に支持されていて、収納ケース２０２の縁体２０２ａとは接触しない状態で配置される。この状態では、収納ケース２０２の前部に、高さの確保できる空間が形成されるから、長い野菜を立て置きにして鮮度を高めたり、ペットボトルや牛乳パック等の背の高い食品を収納することができる。
　　　【００９５】
　また、傷みやすい野菜は収納ケース２０２，２０４の２段のケースに分散して収納できるので、野菜を積み重ねて収納することを軽減できるから、新鮮度を保つことができる。
　　　【００９６】
　図１６の（ｂ）は引出ドア２０を最大限に引き出す手前の状態を示している。この状態では、収納ケース２０４が野菜室２００の内部後方に配置されているので、該収納ケース２０４を引き出して食品を出し入れするのが困難である。そこで、この実施形態では、収納ケース２０４の底面前部に突起部２０８を設けて、該突起部２０８が収納ケース２０２の背面壁２１０に当るようにしている。このため、突起部２０８が背面壁２１０に当った図１６の（ｂ）の状態から、引出ドア２０を更に引き出す動作に連動して、収納ケース２０４が引き出されるようにしている。
　　　【００９７】
　図１６の（ｃ）は引出ドア２０を最大限に引き出した状態を示している。この状態では、前記収納ケース２０４の引出構造により、収納ケース２０４の前部に設けた取手部２１２が開閉ドア１０のトップ面の位置まで引き出され、また、収納ケース２０２の内部が図１４に示すように完全に露出する状態となる。このため、収納ケース２０２に収納された食品を容易に出し入れすることができる。
　　　【００９８】
　更にこの状態では、取手部２１２がつかみやすい位置まで引き出されているので、該取手部２１２をつかんで収納ケース２０４をガイドレール２０６から引き出して、前記縁体２０２ａをガイドレールとして図１５に示す状態まで前方に引き出すことができる。この図１５に示す状態は、図１６の（ｃ）の状態をそのまま引き出した状態となる。このため、収納ケース２０４に収納された食品を出し入れすることができる。
　　　【００９９】
　一方、引出ドア２０を収納する場合は、図１６の（ｃ）の状態（収納ケース２０４が食品出し入れ位置にない状態）から、引出ドア２０を押し込むことにより、図１６の（ｂ）に示すように、収納ケース２０４の背面が野菜室２００の背面内壁に当たって移動を阻止され、収納ケース２０２だけが移動して、元の図１６の（ａ）の状態にすることができる。
　　　【０１００】
　また、収納ケース２０４を引き出したまま収納する場合は、図１５の状態から引出ドア２０を押し込むと、引出ドア２０とともに後退する収納ケース２０２により、収納ケース２０４が縁体２０２ａの前部に形成した段部２１４に押されて元の図１６の（ａ）の状態まで移行することになる。
　　　【０１０１】
　次に、図１７を参照して収納ケース２０２の収納部の形状について説明する。本実施形態に係る冷蔵庫１は、従来、厚みのある機械室５００の前部に配置される野菜室を中央に配置することで、背面壁２１０を傾斜させた図１７の（ｂ）に示す従来例の収納ケースを、背面壁２１０を垂直面とする図１７の（ａ）に示す収納ケース２０２とすることができる。図１７の（ａ）に示す本実施形態に係る収納ケース２０２によれば、容積を同じにする図１７の（ｂ）の従来例より底面積を広くすることができるから、従来例より多くの野菜を積み重ねないで収納することができる。
　　　【０１０２】
　特に、従来例では、傾斜面に収納される野菜の加重は矢印に示すように傾斜方向に加わるから、並べて収納される野菜に無用な荷重を加えることとなり野菜の鮮度を落すこととなる。本実施形態では、図１７の（ａ）に示すように、広い底面に並べて沢山収納でき、しかも横方向への無用な力が働かないので、野菜の鮮度維持を図ることができる。
　　　【０１０３】
　図１８において、本実施形態では、収納ケース２０２の前部に形成した高さの取れる空間の収納性をより高めるために、前後幅を簡単に変更できる仕切板２１６を備えている。仕切板２１６は、両端を一方向に屈曲させて、該屈曲部２１８に収納ケース２０２の両壁面に形成されるリブ２２０に嵌合する凹部２２２を設けるようにする。
　　　【０１０４】
　この構造により、屈曲部２１８を後方に向ける位置で取付けた図１８の（ａ）に示す状態では、仕切板２１６と収納ケース２０２の壁面とで形成される収納空間の前後幅ｄ１を小さく設定でき、逆に、屈曲部２１８を前方に向ける位置で取付けた図１８の（ｂ）に示す状態では前後幅ｄ２を大きく設定できる。しかも、前記前後幅ｄ１、ｄ２の変更は、仕切板２１６を反転させるだけで簡単に変更することができる。
　　　【０１０５】
　また、この実施形態では、仕切板２１６と収納ケース２０２の壁面とで形成される収納空間に、小物収納ケース２２４を備えるようにしている。該小物収納ケース２２４は、その上面から見た平面形状を、隣接する２辺がそれぞれ前記前後幅ｄ１、ｄ２で構成される矩形状とし、且つ、コップ形状の上面を斜めにカットした形状を呈し、その短い高さを前記仕切板２１６と同じ高さとし、最頂部の高さを前後幅ｄ２より大きくて収納ケース２０２の深さより小さい大きさに規定している。
　　　【０１０６】
　具体的には、仕切板２１６の高さを１２５ｍｍ、ｄ１を７５ｍｍ、ｄ２を１０５ｍｍ、最頂部の高さを１５０ｍｍに設定している。この仕切板２１６と小物収納ケース２２４によれば、細長い食品、特に細長い野菜を立ち姿勢で保持して収納することができるから、野菜の鮮度を維持しながら、小物食品の整理整頓が容易に図られ使い勝手を向上することができる。また、小物収納ケース２２４の置く方向を変えても仕切板２１６でガタツキなく保持できるから、引出ドア２０の開閉による小物収納ケース２２４の移動を阻止することができる。
　　　【０１０７】
　更に、図１８の（ｃ）で示すように、従来例（左側図面）は、仕切板２１６を収納ケース２０２の両壁面に設けた２つの突起部で支持していたが、本実施形態（右側図面）では、１つのリブ２２０で支持することができるから、図１８（ａ）に示すように、小物収納ケース２２４を壁面に密着させてデッドスペースを少なくして実質収納容積を大きくすることができる。
　　　【０１０８】
　次に、図１９、図２０を参照して上部冷凍室３００を詳細に説明する。図１９において、上部冷凍室３００に配置される収納ケース３０２は、収納部が左右に分割され、一方を冷凍食品収納部（図示せず）、他方を氷収納部３０６としている。氷収納部３０６は周側面が冷凍食品収納部より低く形成され、その上方の天井面に一対のレール３０８を介して製氷棚３０４が前後方向に移動可能に設けられている。
　　　【０１０９】
　本実施形態では、製氷棚３０４を肘の高さより下方に配置しているために、製氷棚３０４への製氷皿３５０の脱着を容易するために、製氷棚３０４を前後方向に移動可能にしている。その構造を図１９で説明する。
　　　【０１１０】
　図１９の（ａ）は引出ドア３０を閉めた状態を示している。この状態では、製氷棚３０４の前部が、引出ドア３０の内壁面に当接する位置に配置される。図１９の（ｂ）は引出ドア３０を最大限に引き出す手前の状態を示している。この状態では、氷収納部３０６が露出するので、氷の取り出しを行うことができるが、製氷棚３０４が後方に配置しているために、製氷棚３０４が使用者から見えないため製氷棚３０４への製氷皿３５０の脱着が困難である。そこで、この実施形態では、氷収納部３０６の背面壁３１０を高く形成し、該背面壁３１０が製氷皿３５０の背面部に当るようにしている。
　　　【０１１１】
　図１９の（ｂ）は背面壁３１０が製氷皿３５０の背面部に当った状態を示している。この状態から、引出ドア３００を更に引き出す動作に連動して、製氷皿３５０と一体となって製氷棚３０４が引き出されるようになっている。
　　　【０１１２】
　図１９の（ｃ）は引出ドア３０を最大限に引き出した状態を示している。この状態では、製氷棚３０４の先端部が上方の引出ドア２０（図１５参照）のトップ面の位置まで引き出され、氷収納部３０６が露出する状態となる。この状態では、氷の取り出しを行うことができるとともに、製氷棚３０４の先端部が使用者から見えるので無理な姿勢を取ることなく製氷皿３５０の脱着を容易することができる。
　　　【０１１３】
　図２０において、本実施形態の製氷皿３５０は、肘の高さより下方に配置される製氷棚３０４への脱着を容易にするために取手３５１を設けて、取扱性を向上させている。製氷皿３５０は扁平なトレーを複数に分割して複数の製氷部３５２を形成し、該トレーの長手方向の一端に傾斜面３５３を備えた取手３５１を形成している。この製氷皿３５０によれば、前記傾斜面３５３を親指で、トレーの下方を他の指で挟むようにして確実に保持できるから、肘の高さより下方に配置される製氷棚３０４への挿入を、製氷皿３５０の先端と製氷棚３０４の入口を目視しながら位置合わせして確実に行うことができる。
　　　【０１１４】
　このため、製氷棚３０４への挿入時に問題となる製氷部３５２からの水のこぼれるのを軽減することができる。しかも無理な姿勢を取ることなく行うことができる。なお、傾斜面は設置面から６０°から７５゜の角度が望ましく、こうすれば最適な保持姿勢を取って蛇口から製氷部３５２に水を入れて、製氷棚３０４への搬送、挿入を無理なく行うことができる。
　　　【０１１５】
　なお、本実施形態では、例えば、製氷皿３５０の横幅を１３０ｍｍ、長さを２７５ｍｍ、厚さを４０ｍｍに設定している。また、この製氷皿３５０は１０００ｍｍ以下の高さに製氷棚３０４が設置される冷蔵庫に同様な効果がある。
　　　【０１１６】
　次に、図２１において、下部冷凍室４００について説明する。本実施形態では、下部冷凍室４００の収納性を向上するために、収納ケース４０２内に透明な収納ケース４０４を設けている。該収納ケース４０４は、上面形状がほぼ長方形の扁平な箱型の本体４０６と、本体４０６の上部開放部の中央に配置されるハンドル４０８とから構成される。
　　　【０１１７】
　本体４０６は横幅の一辺をｘ１、他辺をｘ２、厚さｙ１とする大きさを備え、上部周囲に縁体４１０を備えている。ハンドル４０８は本体４０６の上部開放部内に、ハンドル４０８の上部が前記縁体４１０とほぼ一致するように設けられている。
　　　【０１１８】
　さて、この実施形態に係る収納ケース４０４は、下部冷凍室４００の横幅Ｗ１，Ｗ２の大きさの異なる２機種の冷蔵庫に採用できるように、前記横幅ｘ１．ｘ２の大きさを決定している。この構成を図２１の（ｂ），（ｃ），（ｄ），（ｅ）で説明している。図２１において、（ｂ）と（ｄ）は収納ケース４０２ａの横幅が大きな横幅Ｗ１に採用したものであり、（ｃ）と（ｅ）は横幅Ｗ２が狭い収納ケース４０２ｂの採用例を示したものである。
　　　【０１１９】
　図において、収納ケース４０４の長手方向の横幅ｘ１は横幅Ｗ１の１／２の大きさに設定し、短手方向の横幅ｘ２と横幅ｘ１の合計が横幅Ｗ２となるように設定している。そして、横幅Ｗ１を備えた収納ケース４０２ａの中央の位置Ｐ１と、位置Ｐ１の両側で側端部から横幅ｘ２の位置Ｐ２，Ｐ３の位置に左右を分割する仕切板を取付け可能にしている。
　　　【０１２０】
　一方、横幅Ｗ２を備えた収納ケース４０２ｂでは、側端部から横幅ｘ１の位置Ｑ１と横幅ｘ２の位置Ｑ２の位置に仕切板を取付け可能にしている。このような寸法態轍と構造を備えることにより、１個の収納ケース４０４と１枚の仕切板との組合せで多様なレイアウトを可能とすることができる。例えば、横幅Ｗ１を備えた収納ケース４０２ａでは、図２１の（ｂ），（ｄ）で示すａ，ｂ，ｃ，ｄのレイアウトが可能であり、横幅Ｗ２を備えた収納ケース４０２ｂでは、図２１（ｃ），（ｅ）に示すｅ，ｆ，ｇ，ｈのレイアウトが可能となる。
　　　【０１２１】
　このように本実施形態によれば、横幅Ｗの大きさの異なる２機種の冷蔵庫に同じ収納ケース４０４を搭載することができるから、部品点数を少なくして製品のシリーズ化が図れる。また、収納ケース４０４を設けることにより、収納ケース４０２を部分的に上下に２分割することが可能であるから、上部を使用頻度の高い食品の収納や小物食品、下部を使用頻度の低い食品や大物食品を収納することができる。なお、本実施形態では、横幅ｘ１を２７３ｍｍ、横幅ｘ２を２００ｍｍ、厚さｙ１を７０ｍｍに設定している。
　　　【０１２２】
〔第２の実施形態〕
　図２２は第２の実施形態を示した断面図である。この実施形態に係る冷蔵庫１ａは、前記第１の実施形態に較べて、冷気分配器５０８を下方に下げて、冷蔵室１００を箱型にして広くしたものである。
　　　【０１２３】
　図において、冷蔵庫１ａは、冷蔵庫１の最上部に開閉ドア１０を備えて配置される冷蔵室１００と、該冷蔵室１００の下方に配置される引出ドア２０を備えた野菜室２００と、該野菜室２００の下方に配置される引出ドア３０を備えた上部冷凍室３００と、冷蔵庫１の最下部に配置される引出ドア４０を備えた下部冷凍室４００とから構成される。
　　　【０１２４】
　また、下部冷凍室４００の後方に圧縮機５０２を備えた機械室５００、上部冷凍室３００の後方に熱交換器５０４、野菜室２００の後方下部にフアンモータ５０６、後方上部に冷気分配器５０８を配置している。そして、冷気分配器５０８の上端と、冷蔵室１００と野菜室２００を仕切る仕切板７１とがほぼフラットになるように配置している。
　　　【０１２５】
　このため、冷蔵室１００に冷気分配器５０８が張り出さないので、冷蔵室１００を箱型にして収納空間を広くすることができる。この実施形態では、冷蔵室１００の最下部にチルド室１０４を配置して、該チルド室１０４の収納空間を広く形成している。また、この実施形態では、前記チルド室１０４と冷気分配器５０８とを隣接することができるので、周囲の貯蔵室より庫内温度の低い「チルド室１０４に直接冷気を供給することができる。
　　　【０１２６】
〔第３〜第５の実施形態の概要〕
　図２３〜図２７は、冷蔵庫の上部に冷蔵室１００、中央に野菜室２００、下部に冷凍室８００を配置した他のドア構成の実施形態を示したものであり、図２３が冷蔵室１００と野菜室２００を１枚の開閉ドア内に配置した本発明の第３の実施形態の外観図、図２４が図２３で示す冷蔵庫の各ドアを開いた状態の外観図、図２５が開閉ドアを両開きドアとする本発明の第４の実施形態の冷蔵庫の外観図、図２６が３ドアタイプの本発明の第５の実施形態の冷蔵庫の外観図、図２７が図２６で示す冷蔵庫の各ドアを開いた状態の外観図である。
　　　【０１２７】
〔第３の実施形態〕
　図２３、図２４において、この実施形態に係る冷蔵庫１ｂは、冷蔵室１００と野菜室２００を断熱材で囲われた冷蔵野菜室７００内に納め、その前面を１枚の開閉ドア７０２で開閉可能に構成した小型の冷蔵庫を示したものである。図において、符号１ｂで総括的に示すのは冷蔵庫は、冷蔵庫１の最上部に開閉ドア７０２を備えて配置される冷蔵野菜室７００と、該冷蔵野菜室７００の下方に配置される引出ドア３０を備えた上部冷凍室３００と、冷蔵庫１の最下部に配置される引出ドア４０を備えた下部冷凍室４００とから構成される。
　　　【０１２８】
　また、冷蔵野菜室７００の最下部に引出ドア２０ａを備えた野菜室２００が配置されている。更に、冷蔵野菜室７００と上部冷凍室３００との間は断熱材５を備えた仕切壁７０を設け、上部冷凍室３００と下部冷凍室４００の間には仕切壁７２を設けている。そして、前記冷蔵庫１ｂは、冷蔵庫１ｂが置かれる床面Ｆから、前記冷蔵庫１ｂの開閉ドア７０２上端部までの高さをＨ１ｂ、前記上部冷凍室３００の引出ドア上端部までの高さをＨ３、前記下部冷凍室４００の引出ドア上端部までの高さをＨ４、野菜室２００の引出ドア上端部までの高さをＨ２に設定している。
　　　【０１２９】
　例えば、この実施形態では、Ｈ１ｂを１５２１ｍｍ、Ｈ２を９３２ｍｍ、Ｈ３を６１１ｍｍ、Ｈ４を３７４ｍｍ、Ｈ２を９１０ｍｍに設定している。また、横幅がＷ、奥行きがＤに設定され、例えば、この実施形態では、Ｗを５９０ｍｍ、Ｄを６６５ｍｍに設定している。
　　　【０１３０】
　冷蔵野菜室７００は、冷蔵野菜室７００を上下に複数に仕切る棚１０２と可変棚１２４と、最下部に配置される野菜室２００と、開閉ドア７０２の内側に取付けられる複数のトレー１２６を備えている。この冷蔵野菜室７００は、庫内温度が４゜Ｃに設定され、貯蔵室で最も大きな収納容積ＶＲ１を備えている。
　　　【０１３１】
　また、野菜室２００は引出ドア２０ａを備えて３゜Ｃに設定され、収納容積ＶＶを備えている。また、野菜室２００は、周側面がほぼ垂直で上方が開放した収納ケース２０２ａが前記引出ドア２０ａと一体に形成されている。
　　　【０１３２】
　また、収納ケース２０２ａの上部後方には、前記収納ケース２０２ａと連動して、あるいは引出ドア２０ａの開いた状態で独立して出し入れ可能な、図１６と同様な、他の収納ケース（図示せず）が配置されている。この２段構造により野菜の縦積みを軽減して鮮度維持を図り、収納性を向上することができる。
　　　【０１３３】
　上部冷凍室３００と下部冷凍室４００の詳細、及び機械室５００、熱交換器５０４等の配置は前記第１の実施形態とほぼ同様なため説明を省略する。
　　　【０１３４】
　なお、この実施形態では、例えば、全体の収納容積Ｖを３００ｌ（リットル）とし、冷蔵野菜室７００の収納容積ＶＲ１を２００ｌ、上部冷凍室３００と下部冷凍室４００との合計の冷凍室８００の収納容積ＶＦを１００Ｌ、野菜室２００の収納容積ＶＶを５０ｌ、野菜室２００を除いた冷蔵室１００に相当する実質収納容積ＶＲを１５０ｌに設定している。ここで、上部冷凍室３００の収納容積ＶＦ１と下部冷凍室４００の収納容積ＶＦ２をほぼ同じ大きさとしている。
　　　【０１３５】
　また、この実施形態では、小型化を図るためにチルド室を取り除いて、冷蔵室１００に相当する冷蔵野菜室７００の広さを確保して、チルド室の高さ分だけ冷蔵庫の高さを低くしているが、チルド室を野菜室の２００の上部に配置してもよい。また、この実施形態では、開閉ドア７０２の内側に取付けられる複数のトレー１２６ａを最下部まで設けているために、野菜室２００の収納容積ＶＶを小さくしているが、野菜室２００の前部の開閉ドア７０２の内壁をフラットとして野菜室２００を前方に拡張すれば、収納容積ＶＶを広くすることができる。
　　　【０１３６】
　この冷蔵庫１ｂによれば、野菜室２００を冷蔵野菜室７００の開閉ドア７０２内に配置したので、野菜室２００の断熱構造や引出構造を簡単でしかも小型にできるから、冷蔵庫１ｂの小型化に大きく貢献できる。しかも、この冷蔵庫１ｂによれば、貯蔵室の配置を使用頻度の高い順番にしたがって、上方から下方に順に冷蔵野菜室７００、上部冷凍室３００、下部冷凍室４００が配置され、更に最も使用頻度の高い冷蔵室１００と野菜室２００を一つの開閉ドア７０２内に設けている。
　　　【０１３７】
　したがって、前記開閉ドア７０２の開閉で冷蔵庫１ｂの作業の８０％以上をまかなうことができる。更に、肘の高さを基準にして上方のドアを開閉ドア７０２とし、肘の高さより低いドアを引出ドア２０ａ，３０，４０としているので、各貯蔵室のドア構造を動作姿勢に合った構造とすることができる。
　　　【０１３８】
〔第４の実施形態〕
　図２５において、この実施形態に係る冷蔵庫１ｃは、大容量の冷蔵庫を実現するために、高さ寸法を前記第１の実施形態と共通しているが、横幅Ｗを大きくし、冷蔵室１００の開閉ドア７１０を２枚の開閉ドア７１０ａ，７１０ｂで構成して、両側のヒンジ部６０で開閉可能にしたものである。
　　　【０１３９】
　図２５において、この実施形態に係る冷蔵庫１ｃは、その横幅と奥行き寸法を除いて前記第１の実施形態と同じ構造を持ち、更に、冷蔵庫１ｃが置かれる床面Ｆから、前記冷蔵庫１ｃの引出ドア上端部までの高さＨ１と、前記野菜室２００の引出ドア上端部までの高さＨ２と、前記上部冷凍室３００の引出ドア上端部までの高さＨ３、前記下部冷凍室４００の引出ドア上端部までの高さＨ４と、を前記第１の実施形態と同様の寸法に設定している。
　　　【０１４０】
　そして、横幅Ｗを前記第１の実施形態より大きい、例えば６８２ｍｍに設定し、奥行きがＤを６６５ｍｍに設定している。開閉ドア７１０ａ，７１０ｂの中央側に縦ハンドル１１ａ，１１ｂがそれぞれ配置され、各開閉ドア７１０ａ，７１０ｂの内壁面に図示しない複数のトレー１２６が配置されている。
　　　【０１４１】
　この冷蔵庫１ｃによれば、横幅Ｗを大きくして、冷蔵室１００の開閉ドア７１０を２枚の開閉ドア７１０ａ、７１０ｂで構成することにより、大きな設計変更をともなうことなく大型化が図れ、しかも貯蔵室の使用頻度と使用者の動作姿勢に合った冷蔵庫１ｃを提供することができる。
　　　【０１４２】
〔第５の実施形態〕
　図２６、図２７において、この実施形態に係る冷蔵庫１ｄは、最上部に配置した冷蔵室１００と、中央に配置した野菜室２００と、下部に配置した冷凍室８００を、それぞれ１枚の開閉ドア１０と、引出ドア２０、引出ドア８０で構成した３ドアの冷蔵庫１ｄである。
　　　【０１４３】
　図において、この実施形態に係る冷蔵庫１ｄは、冷蔵庫１ｄが置かれる床面Ｆから、前記冷蔵庫１ｄの上端部までの高さＨ１と、前記野菜室２００の引出ドア上端部までの高さＨ２と、前記冷凍室８００の引出ドア上端部までの高さＨ３と、を前記第１の実施形態と同様の寸法に設定している。
　　　【０１４４】
　また、冷凍室８００の後方に機械室５００と熱交換器５０４を配置し、野菜室２００の後方にフアンモータ５０６と冷気分配器５０８を配置している（図２２参照）。更に、冷蔵室１００は、最下部にチルド室１０４と自動製氷器用の水タンク１１１を並設させている。また、野菜室２００は、収納ケース２０２と収納ケース２０４の２段構造としている。また、冷凍室８００は、図２１で説明したトレー４０４（図示せず）を配置している。
　　　【０１４５】
　この実施形態によれば、使用頻度の高い食品の出し入れをさほど損なうことなくドア枚数を減らすことができるから（第４の実施形態に比べて）、構造が簡単で原価低減が図れる小型の冷蔵庫を提供することができる。
　　　【０１４６】
　なお、前記実施形態では、引出ドア２０，３０等を各貯蔵室に対して１枚づつ配置したが、これにこだわるものでなく、高さＨ２，Ｈ３が前記した使用者の体形に合ったものであればよく、横方向や縦方向に配置された複数の引出ドアで構成しても同様な効果を得ることができる。
　　　【０１４７】
　例えば、横幅Ｗが非常に幅広い冷蔵庫については、各貯蔵室内を左右に仕切板を介して分割し、該仕切られたそれぞれの庫内に引出ドアを設けてもよい。
　　　【０１４８】
　　【発明の効果】
　本発明によれば、冷蔵室下方部に配されて冷蔵室及び野菜室より温度の低い貯蔵室を構成する収納容器と、仕切板と、の間に空間が形成されるから、野菜室の冷え過ぎを軽減できる。
【図面の簡単な説明】
　　【図１】
　本発明に係る冷蔵庫の第１の実施形態の外観図である。
　　【図２】
　本発明に係る冷蔵庫の第１の実施形態のドアを開いた状態の外観図である。
　　【図３】
　本発明に係る冷蔵庫の第１の実施形態の正面図と部分側面図である。
　　【図４】
　本発明に係る冷蔵庫の第１の実施形態の縦断面図である。
　　【図５】
　本発明に係る冷蔵庫の第１の実施形態の冷蔵室の正面図である。
　　【図６】
　本発明に係る冷蔵庫の第１の実施形態のチルド室とその近傍の断面図と透視図である。
　　【図７】
　本発明に係る冷蔵庫の第１の実施形態の背面の部分透視図である。
　　【図８】
　本発明に係る冷蔵庫の第１の実施形態における標準的な女性の姿勢と冷蔵庫の各部との関係を示す図である。
　　【図９】
　各貯蔵室の使用頻度についての説明図である。
　　【図１０】
　本発明に係る冷蔵庫の第１の実施形態における流し台との関連設置の状態図である。
　　【図１１】
　本発明に係る冷蔵庫の第１の実施形態の引出ドア開閉構造の概念図である。
　　【図１２】
　図１１の要部拡大断面図である。
　　【図１３】
　引出ドア開閉構造における従来例との比較図である。
　　【図１４】
　本発明に係る冷蔵庫の第１の実施形態の野菜室の第１の外観図である。
　　【図１５】
　本発明に係る冷蔵庫の第１の実施形態の野菜室の第２の外観図である。
　　【図１６】
　本発明に係る冷蔵庫の第１の実施形態の野菜室の開閉動作を示す断面図である。
　　【図１７】
　野菜室の収納状態における従来例との対比図である。
　　【図１８】
　本発明に係る冷蔵庫の第１の実施形態の野菜室の収納ケースの説明図である。
　　【図１９】
　本発明に係る冷蔵庫の第１の実施形態の冷凍室の開閉動作を示す断面図である。
　　【図２０】
　本発明に係る冷蔵庫の第１の実施形態の製氷皿の説明図である。
　　【図２１】
　本発明に係る冷蔵庫の第１の実施形態の冷凍室の収納ケースの説明図である。
　　【図２２】
　本発明に係る冷蔵庫の第２の実施形態の断面図である。
　　【図２３】
　本発明に係る冷蔵庫の第３の実施形態の外観図である。
　　【図２４】
　本発明に係る冷蔵庫の第３の実施形態のドアを開いた状態の外観図である。
　　【図２５】
　本発明に係る冷蔵庫の第４の実施形態の外観図である。
　　【図２６】
　本発明に係る冷蔵庫の第５の実施形態の外観図である。
　　【図２７】
　本発明に係る冷蔵庫の第５の実施形態のドアを開いた状態の外観図である。
　　【符号の説明】
１　冷蔵庫
２　筐体
１０　開閉ドア
２０，３０，４０　引出ドア
１００　冷蔵室
２００　野菜室
２０２，２０４　収納ケース
３００　上部冷凍室
３０２　収納ケース
４００　下部冷凍室
４０２　収納ケース
８００　冷凍室
Ｈ１　冷蔵庫の上端部までの高さ
Ｈ２　野菜室の引出ドア上端部までの高さ
Ｈ３　上部冷凍室の引出ドア上端部までの高さ
Ｈ４　下部冷凍室の引出ドア上端部までの高さ
Ｈ５　野菜室の収納ケースの床面までの高さ
Ｕ１　野菜室の引出ドア上端部から収納ケースの床面までの深さ